(57)【特許請求の範囲】
【請求項１】
ワイヤレスワイドエリアネットワークにおけるマルチモードシステム選択のための方法であって、
現在のジオ空間ロケーションカバレージ領域を判断することと、
前記現在のジオ空間ロケーションカバレージ領域に基づいてシステム選択ロケーション優先度リストのサブセットを選択することと、
システム選択ロケーション優先度リストの前記サブセットを関連するシステム優先度情報のセットにマッピングすることによって、基礎をなすシステム選択情報中のエントリをスケールダウンすることと、
前記システム選択ロケーション優先度リストに従って選択される無線アクセス技術に応じて利用可能なアクセスノードを選択することと、
エアインターフェースを介して前記利用可能なアクセスノードと通信することと
を備える、方法。
【請求項２】
前記基礎をなすシステム選択情報中のエントリをスケールダウンすることが、前記関連するシステム優先度情報中に含まれている無線アクセス技術の好適クラスパラメータのサブセットを選択することをさらに備える、請求項１に記載の方法。
【請求項３】
前記基礎をなすシステム選択情報中のエントリをスケールダウンすることが、前記関連するシステム優先度情報中に含まれている無線アクセス技術のシステムタイプパラメータのサブセットを選択することをさらに備える、請求項１に記載の方法。
【請求項４】
関連するシステム優先度情報の前記セットが、１つまたは複数のシステムタイプのためのシステム優先度ルールを含む少なくとも１つのマルチモードシステム選択（ＭＭＳＳ）システム優先度リスト（ＭＳＰＬ）と、通信システムを対応するＭＳＰＬに関係づける少なくとも１つのＭＭＳＳロケーション優先度リスト（ＭＬＰＬ）とを備える、請求項１に記載の方法。
【請求項５】
前記基礎をなすシステム選択情報が、パブリックランドモバイルネットワーク（ＰＬＭＮ）リストと好適ローミングリスト（ＰＲＬ）とを備える、請求項２に記載の方法。
【請求項６】
前記ＰＬＭＮリストが、等価ホームＰＬＭＮ（ＥＨＰＬＭＮ）リストと事業者ＰＬＭＮ（ＯＰＬＭＮ）リストとを備え、前記ＥＨＰＬＭＮリストおよび前記ＯＰＬＭＮリストがそれぞれ、モバイル国コード（ＭＣＣ）とモバイルネットワークコード（ＭＮＣ）とによって識別されるシステムの記録を備える、請求項５に記載の方法。
【請求項７】
前記現在のジオ空間ロケーションカバレージ領域を判断することが、モバイル国コード（ＭＣＣ）を判断することをさらに備える、請求項１に記載の方法。
【請求項８】
前記モバイル国コード（ＭＣＣ）を判断することが、前記ＭＣＣにマッピングされたシステム識別子（ＳＩＤ）を判断することをさらに備える、請求項７に記載の方法。
【請求項９】
前記現在のジオ空間ロケーションカバレージ領域を判断することが、モバイル国コード（ＭＣＣ）と、システム識別子（ＳＩＤ）と、ネットワーク識別子（ＮＩＤ）と、サブネット識別子とからなるグループから選択された複数のネットワーク情報を検出することをさらに備える、請求項１に記載の方法。
【請求項１０】
前記現在のジオ空間ロケーションカバレージ領域を判断することが、モバイル国コード（ＭＣＣ）と、モバイルネットワークコード（ＭＮＣ）と、システム識別子（ＳＩＤ）と、ネットワーク識別子（ＮＩＤ）と、サブネット識別子とからなるグループから選択された複数のネットワーク情報を検出することをさらに備える、請求項１に記載の方法。
【請求項１１】
システム選択ロケーション優先度リストの前記サブセットを関連するシステム優先度情報の前記セットにマッピングすることが、マルチモードシステム選択（ＭＭＳＳ）ロケーション優先度リスト（ＭＬＰＬ）とＭＭＳＳシステム優先度リスト（ＭＳＰＬ）との１対１のマッピングをさらに備える、請求項１に記載の方法。
【請求項１２】
システム選択ロケーション優先度リストの前記サブセットを関連するシステム優先度情報の前記セットにマッピングすることが、マルチモードシステム選択（ＭＭＳＳ）ロケーション優先度リスト（ＭＬＰＬ）中の複数のエントリとＭＭＳＳシステム優先度リスト（ＭＳＰＬ）との多対１マッピングをさらに備える、請求項１に記載の方法。
【請求項１３】
前記現在のジオ空間ロケーションカバレージ領域を判断することが、ネットワークからマルチモードシステム選択（ＭＭＳＳ）ロケーション優先度リスト（ＭＬＰＬ）のためのグルーピング識別子を検出することをさらに備える、請求項１に記載の方法。
【請求項１４】
前記グルーピング識別子を検出することが、１つのＭＬＰＬを識別することをさらに備える、請求項１３に記載の方法。
【請求項１５】
前記現在のジオ空間ロケーションカバレージ領域を判断することが、システム情報の複数の組合せのうちの１つを検出することをさらに備える、請求項１に記載の方法。
【請求項１６】
複数のネットワーク情報のうちの１つを検出することが、モバイル国コード（ＭＣＣ）と、モバイルネットワークコード（ＭＮＣ）と、システム識別子（ＳＩＤ）と、ネットワーク識別子（ＮＩＤ）と、サブネット識別子とからなるグループから選択された複数のネットワーク情報を検出することをさらに備える、請求項１５に記載の方法。
【請求項１７】
周期的ベターサービスリセレクション走査を異なる無線アクセス技術に限定することをさらに備える、請求項１に記載の方法。
【請求項１８】
ワイヤレスワイドエリアネットワークにおけるマルチモードシステム選択のための少なくとも１つのプロセッサであって、
現在のジオ空間ロケーションカバレージ領域を判断するための第１のモジュールと、
前記現在のジオ空間ロケーションカバレージ領域に基づいてシステム選択ロケーション優先度リストのサブセットを選択するための第２のモジュールと、
システム選択ロケーション優先度リストの前記サブセットを関連するシステム優先度情報のセットにマッピングすることによって、基礎をなすシステム選択情報中のエントリをスケールダウンするための第３のモジュールと、
前記システム選択ロケーション優先度リストに従って選択される無線アクセス技術に応じて利用可能なアクセスノードを選択するための第４のモジュールと、
エアインターフェースを介して前記利用可能なアクセスノードと通信するための第５のモジュールと
を備える、プロセッサ。
【請求項１９】
ワイヤレスワイドエリアネットワークにおけるマルチモードシステム選択のためのコンピュータ可読記憶媒体であって、
コンピュータに、現在のジオ空間ロケーションカバレージ領域を判断させるための第１のコードセットと、
前記コンピュータに、前記現在のジオ空間ロケーションカバレージ領域に基づいてシステム選択ロケーション優先度リストのサブセットを選択させるための第２のコードセットと、
前記コンピュータに、システム選択ロケーション優先度リストの前記サブセットを関連するシステム優先度情報のセットにマッピングすることによって、基礎をなすシステム選択情報中のエントリをスケールダウンさせるための第３のコードセットと、
前記コンピュータに、前記システム選択ロケーション優先度リストに従って選択される無線アクセス技術に応じて利用可能なアクセスノードを選択させるための第４のコードセットと、
前記コンピュータに、エアインターフェースを介して前記利用可能なアクセスノードと通信させるための第５のコードセットと
を備えるコードセットを記憶するコンピュータ可読記憶媒体。
【請求項２０】
ワイヤレスワイドエリアネットワークにおけるマルチモードシステム選択のための装置であって、
現在のジオ空間ロケーションカバレージ領域を判断するための手段と、
前記現在のジオ空間ロケーションカバレージ領域に基づいてシステム選択ロケーション優先度リストのサブセットを選択するための手段と、
システム選択ロケーション優先度リストの前記サブセットを関連するシステム優先度情報のセットにマッピングすることによって、基礎をなすシステム選択情報中のエントリをスケールダウンするための手段と、
前記システム選択ロケーション優先度リストに従って選択される無線アクセス技術に応じて利用可能なアクセスノードを選択するための手段と、
エアインターフェースを介して前記利用可能なアクセスノードと通信するための手段とを備える、装置。
【請求項２１】
ワイヤレスワイドエリアネットワークにおけるマルチモードシステム選択のための装置であって、
現在のジオ空間ロケーションカバレージ領域を判断することと、
前記現在のジオ空間ロケーションカバレージ領域に基づいてシステム選択ロケーション優先度リストのサブセットを選択することと、
システム選択ロケーション優先度リストの前記サブセットを関連するシステム優先度情報のセットにマッピングすることによって、基礎をなすシステム選択情報中のエントリをスケールダウンすることと、
前記システム選択ロケーション優先度リストに従って選択される無線アクセス技術に応じて利用可能なアクセスノードを選択することと
のためのコンピューティングプラットフォームと、
エアインターフェースを介して前記利用可能なアクセスノードと通信するためのトランシーバと
を備える、装置。
【請求項２２】
前記コンピューティングプラットフォームが、さらに、前記関連するシステム優先度情報中に含まれている無線アクセス技術の好適クラスパラメータのサブセットを選択することによって、前記基礎をなすシステム選択情報中のエントリをスケールダウンするためのものである、請求項２１に記載の装置。
【請求項２３】
前記コンピューティングプラットフォームが、さらに、前記関連するシステム優先度情報中に含まれている無線アクセス技術のシステムタイプパラメータのサブセットを選択することによって、前記基礎をなすシステム選択情報中のエントリをスケールダウンするためのものである、請求項２１に記載の装置。
【請求項２４】
関連するシステム優先度情報の前記セットが、１つまたは複数のシステムタイプのためのシステム優先度ルールを含む少なくとも１つのマルチモードシステム選択（ＭＭＳＳ）システム優先度リスト（ＭＳＰＬ）と、通信システムを対応するＭＳＰＬに関係づける少なくとも１つのＭＭＳＳロケーション優先度リスト（ＭＬＰＬ）とを備える、請求項２１に記載の装置。
【請求項２５】
前記基礎をなすシステム選択情報が、パブリックランドモバイルネットワーク（ＰＬＭＮ）リストと好適ローミングリスト（ＰＲＬ）とを備える、請求項２４に記載の装置。
【請求項２６】
前記ＰＬＭＮリストが、等価ホームＰＬＭＮ（ＥＨＰＬＭＮ）リストと事業者ＰＬＭＮ（ＯＰＬＭＮ）リストとを備え、前記ＥＨＰＬＭＮリストおよび前記ＯＰＬＭＮリストがそれぞれ、モバイル国コード（ＭＣＣ）とモバイルネットワークコード（ＭＮＣ）とによって識別されるシステムの記録を備える、請求項２５に記載の装置。
【請求項２７】
前記コンピューティングプラットフォームが、さらに、モバイル国コード（ＭＣＣ）を判断することによって前記現在のジオ空間ロケーションカバレージ領域を判断するためのものである、請求項２１に記載の装置。
【請求項２８】
前記コンピューティングプラットフォームが、さらに、前記ＭＣＣにマッピングされたシステム識別子（ＳＩＤ）を判断することによって前記モバイル国コード（ＭＣＣ）を判断するためのものである、請求項２７に記載の装置。
【請求項２９】
前記コンピューティングプラットフォームが、さらに、モバイル国コード（ＭＣＣ）と、システム識別子（ＳＩＤ）と、ネットワーク識別子（ＮＩＤ）と、サブネット識別子とからなるグループから選択された複数のネットワーク情報を検出することによって、前記現在のジオ空間ロケーションカバレージ領域を判断するためのものである、請求項２１に記載の装置。
【請求項３０】
前記コンピューティングプラットフォームが、さらに、モバイル国コード（ＭＣＣ）と、モバイルネットワークコード（ＭＮＣ）と、システム識別子（ＳＩＤ）と、ネットワーク識別子（ＮＩＤ）と、サブネット識別子とからなるグループから選択された複数のネットワーク情報を検出することによって、前記現在のジオ空間ロケーションカバレージ領域を判断するためのものである、請求項２１に記載の装置。
【請求項３１】
前記コンピューティングプラットフォームが、さらに、マルチモードシステム選択（ＭＭＳＳ）ロケーション優先度リスト（ＭＬＰＬ）とＭＭＳＳシステム優先度リスト（ＭＳＰＬ）との１対１のマッピングによって、システム選択ロケーション優先度リストの前記サブセットを関連するシステム優先度情報の前記セットにマッピングするためのものである、請求項２１に記載の装置。
【請求項３２】
前記コンピューティングプラットフォームが、さらに、マルチモードシステム選択（ＭＭＳＳ）ロケーション優先度リスト（ＭＬＰＬ）中の複数のエントリとＭＭＳＳシステム優先度リスト（ＭＳＰＬ）との多対１マッピングによって、システム選択ロケーション優先度リストの前記サブセットを関連するシステム優先度情報の前記セットにマッピングするためのものである、請求項２１に記載の装置。
【請求項３３】
前記コンピューティングプラットフォームが、さらに、ネットワークからマルチモードシステム選択（ＭＭＳＳ）ロケーション優先度リスト（ＭＬＰＬ）のためのグルーピング識別子を検出することによって、前記現在のジオ空間ロケーションカバレージ領域を判断するためのものである、請求項２１に記載の装置。
【請求項３４】
前記コンピューティングプラットフォームが、さらに、１つのＭＬＰＬを識別することによって前記グルーピング識別子を検出するためのものである、請求項３３に記載の装置。
【請求項３５】
前記コンピューティングプラットフォームが、さらに、システム情報の複数の組合せのうちの１つを検出することによって、前記現在のジオ空間ロケーションカバレージ領域を判断するためのものである、請求項２１に記載の装置。
【請求項３６】
前記コンピューティングプラットフォームが、さらに、モバイル国コード（ＭＣＣ）と、システム識別子（ＳＩＤ）と、ネットワーク識別子（ＮＩＤ）と、サブネット識別子とからなるグループから選択されたネットワーク情報を検出することによって、複数のネットワーク情報のうちの１つを検出するためのものである、請求項３５に記載の装置。
【請求項３７】
前記トランシーバを介した前記コンピューティングプラットフォームが、さらに、周期的ベターサービスリセレクション走査を異なる無線アクセス技術に限定するためのものである、請求項２１に記載の装置。
【発明の詳細な説明】
【優先権の主張】
【０００１】
米国特許法第１１９条に基づく優先権の主張
本特許出願は、本出願の譲受人に譲渡され、参照により本明細書に明確に組み込まれる、２００９年７月２０日に出願された「MMSS Enhancements」と題する仮出願第６１／２２６，９９１号の優先権を主張する。
【技術分野】
【０００２】
本開示は、一般にワイヤレスボイス通信に関し、より詳細には、ワイヤレス通信環境におけるシステム選択のための技法に関する。
【背景技術】
【０００３】
ワイヤレス通信システムは、ボイス、データなど様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
概して、ワイヤレス多元接続通信システムは、複数のワイヤレス端末のための通信を同時にサポートすることができる。各端末は、順方向リンクおよび逆方向リンク上での送信によって１つまたは複数の基地局と通信する。順方向リンク（またはダウンリンク）は基地局から端末への通信リンクを指し、逆方向リンク（またはアップリンク）は端末から基地局への通信リンクを指す。この通信リンクは、単入力単出力、多入力単出力または多入力多出力（ＭＩＭＯ）システムを介して確立され得る。
【０００５】
Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）は第３世代（３Ｇ）携帯電話技術の１つである。ＵＭＴＳ  Ｔｅｒｒｅｓｔｒｉａｌ  Ｒａｄｉｏ  Ａｃｃｅｓｓ  Ｎｅｔｗｏｒｋ、略してＵＴＲＡＮは、ＵＭＴＳ無線アクセスネットワークを構成するノードＢと無線ネットワークコントローラとの総称である。この通信ネットワークは、リアルタイム回線交換からＩＰベースパケット交換まで多くのトラフィックタイプを搬送することができる。ＵＴＲＡＮは、ＵＥ（ユーザ機器）とコアネットワークとの間の接続を可能にする。ＵＴＲＡＮは、ノードＢと呼ばれる基地局と無線ネットワークコントローラ（ＲＮＣ）とを含む。ＲＮＣは１つまたは複数のノードＢに制御機能を与える。典型的な実装形態は、複数のノードＢをサービスしている中央局に配置された別個のＲＮＣを有するが、ノードＢとＲＮＣは同じデバイスとすることができる。ノードＢとＲＮＣとが物理的に分離される必要はないということにもかかわらず、それらの間には、Ｉｕｂとして知られる論理インターフェースがある。ＲＮＣおよびその対応するノードＢは、無線ネットワークサブシステム（ＲＮＳ）と呼ばれる。ＵＴＲＡＮには２つ以上のＲＮＳが存在する場合がある。
【０００６】
（ＩＭＴ  Ｍｕｌｔｉ  Ｃａｒｒｉｅｒ（ＩＭＴ  ＭＣ）としても知られる）ＣＤＭＡ２０００は、モバイルフォンとセルサイトとの間でボイス、データ、およびシグナリングデータを送るためにＣＤＭＡチャネルアクセスを使用する３Ｇモバイル技術規格のファミリーである。その規格のセットは、ＣＤＭＡ２０００  １Ｘと、ＣＤＭＡ２０００  ＥＶ−ＤＯ  Ｒｅｖ．０と、ＣＤＭＡ２０００  ＥＶ−ＤＯ  Ｒｅｖ．Ａと、ＣＤＭＡ２０００  ＥＶ−ＤＯ  Ｒｅｖ．Ｂとを含む。そのすべてが、ＩＴＵのＩＭＴ−２０００のための承認された無線インターフェースである。ＣＤＭＡ２０００は、比較的長い技術的歴史を有し、それの前の２ＧイタレーションＩＳ−９５（ｃｄｍａＯｎｅ）との後方互換性がある。
【０００７】
１ｘおよび１ｘＲＴＴとしても知られるＣＤＭＡ２０００  １Ｘ（ＩＳ−２０００）は、コアＣＤＭＡ２０００ワイヤレスエアインターフェース規格である。１ｘＲａｄｉｏ  Ｔｒａｎｓｍｉｓｓｉｏｎ  Ｔｅｃｈｎｏｌｏｇｙを意味する「１ｘ」という記号は、ＩＳ−９５と同じＲＦ帯域幅、すなわち１．２５ＭＨｚ無線チャネルのデュプレックスペアを示す。１ｘＲＴＴは、６４個の元のセットに直交する（直角位相にある）６４個のさらなるトラフィックチャネルを順方向リンクに追加することによって、ＩＳ−９５の容量をほぼ２倍にする。１Ｘ規格は、最高１５３ｋｂｐｓのパケットデータ速度をサポートし、実世界データ送信は、大部分の商用アプリケーションでは平均して６０〜１００ｋｂｐｓである。また、ＩＭＴ−２０００は、媒体およびリンクアクセス制御プロトコルとサービス品質（ＱｏＳ）とを含む、データサービスのより大規模な使用のためのデータリンクレイヤへの変更を行った。ＩＳ−９５データリンクレイヤは、データのための「ベストエフォート配信」とボイスのための回線交換チャネル（すなわち、２０ｍｓごとに１回のボイスフレーム）を提供したのみであった。
【０００８】
しばしばＥＶ−ＤＯまたはＥＶと省略されるＣＤＭＡ２０００  １ｘＥＶ−ＤＯ（Ｅｖｏｌｕｔｉｏｎ−Ｄａｔａ  Ｏｐｔｉｍｉｚｅｄ）は、一般にブロードバンドインターネットアクセスのための、無線信号を介したデータのワイヤレス送信のための電気通信規格である。それは、個々のユーザのスループットと全体的なシステムスループットの両方を最大にするために、符号分割多元接続（ＣＤＭＡ）ならびに時分割多元接続（ＴＤＭＡ）を含む多重化技法を使用する。それは、ＣＤＭＡ２０００規格ファミリーの一部として３ｒｄ  Ｇｅｎｅｒａｔｉｏｎ  Ｐａｒｔｎｅｒｓｈｉｐ  Ｐｒｏｊｅｃｔ  ２（３ＧＰＰ２）によって規格化され、世界中の多くのモバイルフォンサービスプロバイダ、特にＣＤＭＡネットワークを前に採用したプロバイダによって採用されている。
【０００９】
３ＧＰＰ  ＬＴＥ（Ｌｏｎｇ  Ｔｅｒｍ  Ｅｖｏｌｕｔｉｏｎ）は、ＵＭＴＳ携帯電話規格を将来の要件に対処するように向上させるためのＴｈｉｒｄ  Ｇｅｎｅｒａｔｉｏｎ  Ｐａｒｔｎｅｒｓｈｉｐ  Ｐｒｏｊｅｃｔ（３ＧＰＰ）内のプロジェクトに付けられた名前である。目的は、効率性向上、コスト削減、サービス改善、新規のスペクトル機会（spectrum opportunity）の利用、および他のオープンスタンダードとの統合の改良を含む。ＬＴＥシステムは、Ｅｖｏｌｖｅｄ  ＵＴＲＡ（ＥＵＴＲＡ）および進化型ＵＴＲＡＮ（ＥＵＴＲＡＮ）規格シリーズに記載されている。
【００１０】
デュアルモード（またはマルチモード）モバイルは、シングルモードモバイルとは対照的に、２つ以上の形態のデータ送信またはネットワークに適合するモバイルフォンを指す。たとえば、デュアルモードフォンは、ボイスとデータとを送信および受信するための２つ以上の技法を使用する電話とすることができる。これは、ワイヤレスモバイルフォンの場合、またはワイヤードフォンの場合であり得る。
【００１１】
一態様では、デュアルモードは、ボイスおよびデータのための２つのタイプのセルラー無線を含んでいるモバイルフォンなど、ネットワーク適合性を指すことができる。これらのフォンは、ＧＳＭ（登録商標）技術とＣＤＭＡ技術の組合せを含む。それらは、ユーザ選好に従ってＧＳＭ（登録商標）フォンまたはＣＤＭＡフォンとして使用され得る。これらのハンドセットは、グローバルフォンとも呼ばれ、本質的に１つのデバイス中の２つのフォンである。デュアルモードｃｄｍａ２０００およびＧＳＭ（登録商標）フォンのこの特定の例の場合、２つのカード（Ｒ−ＵＩＭおよびＳＩＭ）か、またはＲ−ＵＩＭ情報がモバイル機器（ハンドセットシェル）に記憶される１つのカード（ＳＩＭのみ）のいずれかの、２つの可能性がある。例示的な使用において、ＵＩＣＣ（ユニバーサル集積回路カード）として知られている次世代スマートカードを装備され得るＬＴＥ＋ｃｄｍａ２０００端末について考える。ＵＩＣＣは、ＵＳＩＭアプリケーション（本質的にＬＴＥ用のＳＩＭ）と、（Ｒ−ＵＩＭ  ｃｄｍａ２０００カードの代わりに）ＣＳＩＭアプリケーションとを含んでいることになる。
【００１２】
従来、ワイヤレス通信環境におけるシステム選択は、端末が地理的エリア中のシステムへのアクセスを試みるための好適な順序をリストする、優先度リストに基づく。しかしながら、そのような優先度リストは、概して（たとえば、通信規格に基づく）特定のアクセス技術および／またはアクセス技術のセットに関連し、そのリストが対応する技術および／または技術のセットに特有のフォーマッティングおよび情報を含んでいる。したがって、各優先度リストが異なるフォーマッティングおよび／または情報のセットを含んでいる、異なる無線技術に対応する複数の優先度リストが、マルチモード端末に提示され得る。これは、今度は、異なるアクセス技術を利用するシステムのグループの中からあるシステムを選択することの困難および／または非効率につながることがある。したがって、少なくとも上記の欠点を緩和するマルチモードワイヤレスシステム選択のための技法を実装することが望ましいであろう。
【発明の概要】
【００１３】
以下で、開示する態様のいくつかの態様の基本的理解を与えるために簡略化された概要を提示する。この概要は、包括的な概観ではなく、主要なまたは重要な要素を識別するものでも、そのような態様の範囲を定めるものでもない。その目的は、後で提示するより詳細な説明の導入として、説明する特徴のいくつかの概念を簡略化された形態で提示することである。
【００１４】
一態様では、ワイヤレスワイドエリアネットワークにおけるマルチモードシステム選択のための方法が提供される。現在のジオ空間ロケーションカバレージ領域が判断される。システム選択ロケーション優先度リストのサブセットが、現在のジオ空間ロケーションカバレージ領域に基づいて判断される。システム選択ロケーション優先度リストのサブセットを関連するシステム優先度情報のセットにマッピングすることによって、基礎をなすシステム選択情報中のエントリがスケールダウンされる。利用可能なアクセスノードが、システム選択優先度リストに従って選択される無線アクセス技術に応じて選択される。モバイルデバイスが、エアインターフェースを介して利用可能なアクセスノードと通信する。
【００１５】
別の態様では、ワイヤレスワイドエリアネットワークにおけるマルチモードシステム選択のための少なくとも１つのプロセッサが提供される。第１のモジュールが、現在のジオ空間ロケーションカバレージ領域を判断する。第２のモジュールが、現在のジオ空間ロケーションカバレージ領域に基づいてシステム選択ロケーション優先度リストのサブセットを選択する。第３のモジュールが、システム選択ロケーション優先度リストのサブセットを関連するシステム優先度情報のセットにマッピングすることによって、基礎をなすシステム選択情報中のエントリをスケールダウンする。第４のモジュールが、システム選択優先度リストに従って選択される無線アクセス技術に応じて利用可能なアクセスノードを選択する。第５のモジュールが、エアインターフェースを介して利用可能なアクセスノードと通信する。
【００１６】
追加の態様では、ワイヤレスワイドエリアネットワークにおけるマルチモードシステム選択のためのコンピュータプログラム製品が提供される。非一時的コンピュータ可読記憶媒体がコードセットを備える。第１のコードセットが、コンピュータに現在のジオ空間ロケーションカバレージ領域を判断させる。第２のコードセットが、コンピュータに、現在のジオ空間ロケーションカバレージ領域に基づいてシステム選択ロケーション優先度リストのサブセットを選択させる。第３のコードセットが、コンピュータに、システム選択ロケーション優先度リストのサブセットを関連するシステム優先度情報のセットにマッピングすることによって、基礎をなすシステム選択情報中のエントリをスケールダウンさせる。第４のコードセットが、コンピュータに、システム選択優先度リストに従って選択される無線アクセス技術に応じて利用可能なアクセスノードを選択させる。第５のコードセットが、コンピュータに、エアインターフェースを介して利用可能なアクセスノードと通信させる。
【００１７】
さらなる態様では、ワイヤレスワイドエリアネットワークにおけるマルチモードシステム選択のための装置が提供される。現在のジオ空間ロケーションカバレージ領域を判断するための手段が提供される。現在のジオ空間ロケーションカバレージ領域に基づいてシステム選択ロケーション優先度リストのサブセットを選択するための手段が提供される。システム選択ロケーション優先度リストのサブセットを関連するシステム優先度情報のセットにマッピングすることによって、基礎をなすシステム選択情報中のエントリをスケールダウンするための手段が提供される。システム選択優先度リストに従って選択される無線アクセス技術に応じて利用可能なアクセスノードを選択するための手段が提供される。エアインターフェースを介して利用可能なアクセスノードと通信するための手段が提供される。
【００１８】
さらに別の態様では、ワイヤレスワイドエリアネットワークにおけるマルチモードシステム選択のための装置が提供される。コンピューティングプラットフォームは、現在のジオ空間ロケーションカバレージ領域を判断し、現在のジオ空間ロケーションカバレージ領域に基づいてシステム選択ロケーション優先度リストのサブセットを選択し、システム選択ロケーション優先度リストのサブセットを関連するシステム優先度情報のセットにマッピングすることによって、基礎をなすシステム選択情報中のエントリをスケールダウンし、システム選択優先度リストに従って選択される無線アクセス技術に応じて利用可能なアクセスノードを選択する。トランシーバが、エアインターフェースを介して利用可能なアクセスノードと通信する。
【００１９】
上記および関連する目的を達成するために、１つまたは複数の態様は、以下で十分に説明し、特に特許請求の範囲で指摘する特徴を備える。以下の説明および添付の図面は、いくつかの例示的な態様を詳細に記載し、本態様の原理が使用され得る様々な方法のほんのいくつかを示すものである。他の利点および新規の特徴は、以下の詳細な説明を図面とともに検討すれば明らかになり、開示する態様は、すべてのそのような態様およびそれらの均等物を含むものとする。
【００２０】
本開示の特徴、性質、および利点は、全体を通じて同様の参照符号が同様のものを指す図面とともに、以下に記載する詳細な説明を読めばより明らかになろう。
【図面の簡単な説明】
【００２１】
【図１】マルチモードシステム選択（ＭＭＳＳ）を実行する通信システムの概略図。
【図２】ワイヤレスワイドエリアネットワーク（ＷＷＡＮ）におけるＭＭＳＳのための方法または動作シーケンスのための流れ図。
【図３】ＭＭＳＳのための電気構成要素の論理グルーピングを含むシステムのための概略図。
【図４】ＭＭＳＳのための手段を有する装置のための概略図。
【図５】マルチモードワイヤレス通信システムにおける好適なシステム選択を可能にするシステムのブロック図。
【図６】本明細書で説明する様々な態様に従って利用され得る例示的なシステム選択プロシージャ階層を示す図。
【図７】様々な態様による、ワイヤレス通信環境における好適なシステムのマルチモードリストを生成するためのシステムのブロック図。
【図８】様々な態様による優先度リスティング情報のために利用され得る例示的な構造を示す図。
【図９】例示的な従来のマルチモードシステム選択実装形態を示す図。
【図１０】多元接続ワイヤレス通信システムの概略図。
【発明を実施するための形態】
【００２２】
現在、マルチモードシステム選択（ＭＭＳＳ）では、基礎をなす２つ以上のシステム選択優先度リスト（たとえば、３ＧＰＰのプライベートランドモバイルネットワーク（ＰＬＭＮ）システム選択優先度リストおよびｃｄｍａ２０００の好適ローミングリスト（ＰＲＬ））に関して、ＭＭＳＳシステム優先度リスト（ＭＳＰＬ）が使用されている。ＭＳＰＬが適用される基礎をなすシステム選択リスト中のエントリの範囲を指定する必要がある。言い換えれば、本発明は、ＭＳＰＬが、アクセス端末に記憶されたＰＬＭＮのリスト全体に適用されるのか、またはＰＬＭＮリストの一部のサブセットに適用されるのかに対処する。同様に、本発明は、ＭＳＰＬが、好適ローミングリスト（ＰＲＬ）全体に適用されるのか、またはジオ空間ロケーション（ＧＥＯ）エリアの一部のサブセットに適用されるのかに対処する。
【００２３】
特に、本発明は、スペクトラム拡散方式のための無線サービスプロビジョニング（ＯＴＡＳＰ）のための拡張について説明し、特に、いくつかの候補の間で無線アクセス技術（ＲＡＴ）またはシステムを端末が選択することを可能にするＭＭＳＳのための拡張について説明する。これらの候補は、３ＧＰＰ  ＲＡＴ（たとえば、ＬＴＥ、ＵＭＴＳまたはＧＳＭ（登録商標））、３ＧＰＰ２  ＲＡＴ（たとえば、１ｘまたはＨＲＰＤ）または他の規格団体からの他の規格にわたる。
【００２４】
ＭＭＳＳをサポートするパラメータのセットは、（１）様々な技術（３ＧＰＰ、３ＧＰＰ２、ＷｉＭＡＸなど）の間で様々なＲＡＴの相対的優先度を定義するＭＭＳＳシステム優先度リスト（ＭＳＰＬ）のためのサブセットを含む。ＭＭＳＳをサポートするパラメータのセットはまた、（２）モバイル国コード（ＭＣＣ）と、モバイルネットワークコード（ＭＮＣ）と、システム識別子（ＳＩＤ）と、ノード識別子（ＮＩＤ）と、場合によっては他のシステム識別子とに基づいてカバレージ領域を定義するＭＭＳＳロケーション関連優先度リスト（ＭＬＰＬ）のサブセットを含む。また、ＭＬＰＬは、このカバレージ領域に適用される特定のＭＳＰＬをポイントする。
【００２５】
例として、第１に、３ＧＰＰシステムのためのＭＳＰＬ中のＰｒｉｏｒｉｔｙ＿Ｃｌａｓｓパラメータについて考える。現在、Ｐｒｉｏｒｉｔｙ＿Ｃｌａｓｓ＃２（好適クラス）は、事業者ＰＬＭＮ（ＯＰＬＭＮ）およびユーザＰＬＭＮ（ＵＰＬＭＮ）中のすべてのエントリ中に含まれているように思われる。しかしながら、適用可能でない多くのエントリがあり得るので、これは不要である。たとえば、ユーザが日本にいる場合、ＭＳＰＬは日本の外のエントリに適用される必要がない。「ＭＣＣ＝日本」のＰＬＭＮエントリのみが関係することになる。別の例では、ユーザが２つ以上の国に接するエリア中にいる場合、（２つ以上のＭＣＣに基づく）２つ以上の国のＰＬＭＮエントリのみを考慮する必要がある。追加の例では、ＭＣＣと（１つまたは複数の）ＭＮＣの両方によってより良く定義されたエリア中（たとえば、米国）にユーザがいる場合、それらのＭＣＣとＭＮＣとをもつＰＬＭＮエントリのみを考慮する必要がある。したがって、ＭＳＰＬ好適Ｐｒｉｏｒｉｔｙ＿Ｃｌａｓｓパラメータは、各例について、ＰＬＭＮのこれらのサブセットのみに適用される必要がある。
【００２６】
第２に、３ＧＰＰシステムのためのＭＳＰＬ中のＳｙｓｔｅｍ＿Ｔｙｐｅパラメータについて考える。現在、Ｓｙｓｔｅｍ＿Ｔｙｐｅは、ＰＬＭＮリスト全体に適用可能であるように思われる。Ｓｙｓｔｅｍ＿Ｔｙｐｅは、特定の技術（たとえば、３ＧＰＰエアインターフェース）または特定のＲＡＴ（たとえばＬＴＥまたはＧＳＭ（登録商標））からのシステムの範疇を定義する。しかしながら、適用可能でない多くのエントリがあり得るので、Ｓｙｓｔｅｍ＿ＴｙｐｅをＰＬＭＮリスト全体に適用することは不要である。前に与えた例の場合、ＭＳＰＬのＳｙｓｔｅｍ＿Ｔｙｐｅは、それぞれ、日本、２つ以上の国、またはＭＣＣ／（１つまたは複数の）ＭＮＣのセットに限定されるエントリのみに適用される必要がある。ユーザが２つ以上の国に接するエリア中にいる場合、（たとえば、２つ以上のＭＣＣに基づく）２つ以上の国のＰＬＭＮエントリのみを考慮する必要がある。
【００２７】
第３に、３ＧＰＰ２について同様の問題が起こることを本開示の利益とともに諒解されたい。たとえば、ＭＳＰＬが、好適ローミングリスト（ＰＲＬ）全体に適用されるのか、あるいはＭＣＣ、ＭＣＣ／（１つまたは複数の）ＭＮＣ、またはＳＩＤ／（１つまたは複数の）ＮＩＤまたはサブネットＩＤによって識別されるＧＥＯのサブセットに適用されるのかに関する問題があり得る。
【００２８】
その問題に答えて、本発明は、選択リストの適切なサブセットを作成することによってモバイルデバイスのためのサービス選択を可能にするワイヤレス通信システムを開示する。例示的な態様では、ＭＳＰＬ中のパラメータを相応に解釈するいくつかの例示的な手法を用いて、基礎をなす選択リストのサブセットをモバイルデバイスにプロビジョニングする、ワイヤレスワイドエリアネットワーク（ＷＷＡＮ）を開示する。
【００２９】
本明細書ではモバイルデバイスに関する様々な態様について説明する。モバイルデバイスは、システム、加入者ユニット、加入者局、移動局、モバイル、モバイルデバイス、セルラーデバイス、マルチモードデバイス、遠隔局、リモート端末、アクセス端末、ユーザ端末、ユーザエージェント、ユーザデバイス、またはユーザ機器などと呼ばれることもある。加入者局は、セルラー電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、または処理デバイスとのワイヤレス通信を可能にするワイヤレスモデムもしくは同様の機構に接続された他の処理デバイスとすることができる。
【００３０】
さらに、図面を参照しながら様々な態様について説明する。以下の記述では、説明の目的で、１つまたは複数の態様の完全な理解を与えるために多数の具体的な詳細を記載する。ただし、様々な態様は、これらの具体的な詳細なしに実施され得ることは明らかであろう。他の例では、これらの態様の説明を円滑にするために、よく知られている構造およびデバイスをブロック図の形態で示す。
【００３１】
最初に図１を参照すると、通信システム１００は、モバイルデバイス、移動局（ＭＳ）またはアクセス端末（ＡＴ）１０２が、選択リスト（たとえば、ＰＬＭＮリスト）１０６全体を使用しなければならないのではなく、基礎をなす選択リスト（「スケーリングされた選択リスト」）１０４をスケールダウンすることを可能にする。ＭＭＳＳは概して２つ以上のシステム選択リストを企図するので、好適ローミングリスト（ＰＲＬ）１０７も、基礎をなす選択リストの一部であることがある。それにより、特定の地理的ロケーションのための好適なまたは適切な無線アクセス技術（ＲＡＴ）１１２、１１４に応じて適切な無線アクセスノード１０８、１１０が選択され得る。
【００３２】
ＰＲＬ１０７は、従来１ｘシステム用として理解されるＰＲＬ、または一般に１ｘおよびＨＲＰＤシステム用として理解される拡張ＰＲＬとすることができることを、本開示の利益とともに諒解されたい。
【００３３】
第１のバージョンでは、ＡＴ１０２のコンピューティングプラットフォーム１１６は、ＡＴ１０２がどのカバレージ領域１２０中にあるのかについての判断に基づいて、基礎をなす選択リストをスケールダウンする。コンピューティングプラットフォーム１１６は、ネットワーク１２６によって、詳細にはアクセスノード１０８によって、ＷＷＡＮエアインターフェース１２４を介してブロードキャストされたモバイル国コード（ＭＣＣ）１２２を受信することができる。ＡＴ１０２は、ＷＷＡＮエアインターフェース１２４を介して通信するために１つまたは複数のアンテナ１３４を使用する（１つまたは複数の）送信機（「Ｔｘ」）１３０と（１つまたは複数の）受信機（「Ｒｘ」）１３２とからなるトランシーバ１２８を使用する。代替的に、コンピューティングプラットフォーム１１６は、ローカルに記憶されたＭＣＣ相互参照データ構造（たとえば、ＭＬＰＬ）１３８を選択するためにコンピューティングプラットフォーム１１６が使用することができる、アクセスノード１０８によってブロードキャストされたシステム識別子（ＳＩＤ）１３６を受信することができる。例示的な態様では、カバレージ領域識別情報１４０は、適切なＭＬＰＬ１３８にアクセスするために使用され、ＭＬＰＬ１３８はＭＳＰＬ１４２をポイントする。このカバレージ領域識別情報１４０は、ＭＣＣと、（１つまたは複数の）ＭＮＣと、ＳＩＤと、ネットワーク識別子（ＮＩＤ）と、場合によっては他の識別子（たとえば、ＨＲＰＤシステムを識別するために必要とされるＳｕｂｎｅｔ＿ＩＤ）とのネットワーク情報１４４の何らかの組合せに基づくことができる。
【００３４】
一態様では、１４６において示されるように、ＭＬＰＬ１３８とＭＳＰＬ１４２との１対１のマッピングが使用される。代替的にまたは追加として、１４８において示されるように、ＭＬＰＬ１３８とＭＳＰＬ１４２との多対１マッピングが使用される。ＭＬＰＬ１３８が、あまり明確には参照されないが、ＡＴ１０２は、ネットワーク１２６からＭＣＣ１２２または他のネットワーク情報１４４を読み取ることができるので、適切なＭＬＰＬ１３８を判断することができる。
【００３５】
例示的な態様では、ＭＬＰＬデータベースまたはＭＬＰＬは要するに複数の個別のＭＬＰＬエントリを含んでいることを、本開示の利益とともに第１に諒解されたい。各ＭＬＰＬエントリは特定のＭＳＰＬエントリをポイントする。同様に、複数のＭＳＰＬエントリを格納する単一のＭＳＰＬがある。第２に、そのマッピングは、ＭＬＰＬエントリを読み取ることによって判断され得る。ＭＬＰＬエントリは、基本的にＭＬＰＬエントリを特定のＭＳＰＬ＿ｅｎｔｒｙにポイントする「ＭＳＰＬ＿ＩＮＤＥＸ」と呼ばれるフィールドを含んでいる。
【００３６】
第２のバージョンでは、第１のバージョンの一般化により、代わりに使用され得るより大きいカバレージ領域を形成するために１つまたは複数のＭＬＰＬ１３８を互いにグループ化するＭＬＰＬグルーピングＩＤ１５０を実装する。
【００３７】
第３のバージョンでは、複数のＭＣＣ、ＭＮＣおよび／または複数のＳＩＤ、ＮＩＤおよび／または複数のサブネットＩＤの、２つ以上の組合せによって定義された拡張ＭＬＰＬ１５４によって表される、拡張カバレージ領域１５３を有することによって、特定のグルーピング識別子なしにさらなる一般化が達成され得る。したがって、概念的に、ＭＬＰＬグルーピングＩＤ１５０は、この一般的なＭＬＰＬ設計によって包含されることになる。
【００３８】
代替的にまたは追加として、周期的ベターサービスリセレクション（Better Service Re-selection）（ＢＳＲ）構成要素１５６が、１５８において示されるように、異なる無線アクセス技術１１４のシステムのみを走査することに限定され得る。たとえば、アクセス端末１０２がＧＳＭ（登録商標）上にキャンピングされる場合、ＢＳＲ構成要素１５６は非３ＧＰＰシステムのみを走査する。
【００３９】
例示的な態様では、アクセス端末１０２は、ＭＬＰＬグルーピングＩＤ１５０を用いた第２のバージョン、ならびに場合によっては他のバージョンの態様を実装する。ＭＬＰＬグルーピングＩＤ１５０が実装されない場合、代替の例示的な態様では、バージョン１のＭＳＰＬ１４２をポイントするＭＬＰＬ１３８の手法を利用する。したがって、端末がその中に配置されるＭＬＰＬ１３８は、基礎をなす選択リストをスケールダウンする。
【００４０】
したがって、アクセス端末１０２として示される装置は、ワイヤレスワイドエリアネットワーク１２６においてマルチモードシステム選択をサポートすることができる。そのために、コンピューティングプラットフォーム１１６は、現在のジオ空間ロケーションカバレージ領域１２０、１５３を判断し、現在のジオ空間ロケーションカバレージ領域１２０、１５３に基づいて、選択されたＭＬＰＬ１３８、１５４として示されるシステム選択ロケーション優先度リストのサブセットを選択する。コンピューティングプラットフォーム１１６は、システム選択ロケーション優先度リストのサブセットを関連するシステム優先度情報のセットにマッピングすることと、システム選択優先度リストに従って選択されるＲＡＴ１１２に応じて利用可能なアクセスノード１０８を選択することとによって、基礎をなすシステム選択情報中のエントリをスケールダウンする。トランシーバ１２８は、エアインターフェース１２４を介して利用可能なアクセスノード１０８、１１０と通信する。
【００４１】
上記によって、本発明は、
基礎をなす選択リストエントリのどのサブセットにＭＳＰＬが適用されるかを判断する際のあいまいさを除去し、
そのサブセットを定義するための一般的な方法を提供し、
ＭＳＰＬのＰｒｉｏｒｉｔｙ＿ＣｌａｓｓおよびＳｙｓｔｅｍ＿Ｔｙｐｅパラメータがより効果的に使用されることを可能にすることを、当業者は本開示の利益とともに諒解されたい。ＰＬＭＮリスト１０６全体が使用されるときは、後者を使用すると、場合によっては非効果的になる。
【００４２】
システム選択のこのスケーリングを実装する際には、ＭＳＰＬ１４２を構造化し、解釈する態様が行われ得る。
【００４３】
第１に、個々のエアインターフェース（たとえば、ＬＴＥ、ＧＳＭ（登録商標）、ＵＭＴＳ、１ｘ、ＤＯ）の指示を可能にするために、ＭＳＰＬ中に追加のシステムタイプを含めることが可能にされ得る。それにより、事業者およびネットワークは、様々な規格のエアインターフェースにわたってよりフレキシブルなインターリービングおよび優先度付けをサポートすることができる。以下に２つの例を示す。
【００４４】
ＬＴＥ＞ＤＯ＞ＵＭＴＳ＞１ｘ＞ＧＳＭ（登録商標）    例１。
【００４５】
ＬＴＥ（ＭＮＣ＿１）＞ＤＯ（Ｓｕｂｎｅｔ＿１）＞ＬＴＥ（ＭＮＣ＿２）＞ＤＯ（Ｓｕｂｎｅｔ＿２）＞ＵＭＴＳ（ＭＮＣ＿２）＞１ｘ（ＮＩＤ＿１）＞ＧＳＭ（登録商標）（ＭＮＣ＿２）    例２。
【００４６】
第２に、特定の規格から連続するシステムタイプをリストするためのサポートが、特殊なケースとして明確に可能にされ得る。それにより、アクセス技術（ＡｃＴ）を有しないか、またはＡｃＴビットマップ中に示される２つ以上のＡｃＴを有する、ＰＬＭＮリストエントリに対処することができる。その場合、ＭＳＰＬ１４２は、そのようなＰＬＭＮリストのための様々なＡｃＴの相対的優先度を規定（spell out）することができる。
【００４７】
ＬＴＥ＞ＵＭＴＳ＞ＧＳＭ（登録商標）＞ｃｄｍａ２０００    例３。
【００４８】
ここで、ＬＴＥ、ＵＭＴＳおよびＧＳＭ（登録商標）は以下を指す。
【００４９】
共通の単一のＰＬＭＮエントリ、
１つのエントリが、ＰＬＭＮリストに沿って示され順序付された２つのＡｃＴを有する、２つのエントリ、または
各エントリが、ＰＬＭＮリストに沿って示され順序付けされた１つのＡｃＴを有する、３つのエントリ。
【００５０】
第３に、ＭＳＰＬの範囲の明確化が実装され得る。現在、ＭＳＰＬ１４２（たとえば、優先度クラス、Ｓｙｓ＿Ｔｙｐｅｓ）が、カードにリストされているＰＬＭＮの全セット（ＨＰＬＭＮ、ＥＨＰＬＭＮ、ＯＰＬＭＮなど）に適用されるのか、または一部のサブセットに適用されるのかが明確でない。ＭＳＰＬ１４２の範囲を、ＭＬＰＬ１３８によって定義されたシステムのサブセット、または共通のＭＬＰＬ＿ＧＲＯＵＰＩＮＧ＿ＩＤ１５０を共有するＭＬＰＬ１３８の「グループ」に限定することによって（すなわち、このグループ中の各ＭＬＰＬ１３８は同じＭＳＰＬ１４２をポイントすることができる）。これにより、優先度クラスとシステムタイプとの適用性および範囲が明確になり、それらが技術のシステムの全セットではなくサブセットに適用されることが明確になる。ＭＬＰＬ＿ＧＲＯＵＰＩＮＧ＿ＩＤ１５０は、単一のＭＬＰＬの範囲では不十分である（たとえば、複数のＭＣＣまたは複数のＳＩＤが必要とされる）状況に対処する。
【００５１】
ＭＬＰＬ＿１がＭＳＰＬ＿１をポイントする、単一のＭＬＰＬの例。
【００５２】
ＭＬＰＬ＿１がＭＣＣ＿１を含んでいる場合、ＭＳＰＬ＿１は、ＭＣＣ＿１をもつＰＬＭＮエントリとＰＲＬエントリとのサブセットに適用される。
【００５３】
ＭＬＰＬ＿１がＭＣＣ＿１、ＭＮＣ＿１〜ＭＮＣ＿４を含んでいる場合、ＭＳＰＬ＿１は、ＭＣＣ＿１、ＭＮＣ＿１〜ＭＮＣ＿４をもつＰＬＭＮエントリのサブセットと、ＭＣＣ＿１をもつＰＲＬ中の（１つまたは複数の）ＧＥＯのサブセットとに適用される。
【００５４】
ＭＬＰＬ＿１がＳＩＤ＿１、ＮＩＤ＿１〜ＮＩＤ＿７を含んでいる場合、ＭＳＰＬ＿１は、ＳＩＤ＿１、ＮＩＤ＿１〜ＮＩＤ＿７をもつＰＲＬ中の（１つまたは複数の）ＧＥＯのサブセットに適用される。
【００５５】
ＭＬＰＬ＿１がＭＣＣ＿１、ＳＩＤ＿１、ＮＩＤ＿１〜ＮＩＤ＿７を含んでいる場合、ＭＳＰＬ＿１は、ＭＣＣ＿１をもつＰＬＭＮと、ＭＣＣ＿１、ＳＩＤ＿１、およびＮＩＤ＿１〜ＮＩＤ＿７をもつＰＲＬ中の（１つまたは複数の）ＧＥＯとのサブセットに適用される。
【００５６】
ＭＬＰＬ＿１およびＭＬＰＬ＿２が、共通のＭＬＰＬ＿ＧＲＯＵＰＩＮＧ＿ＩＤを共有し、それぞれＭＳＰＬ＿１をポイントする、ＭＬＰＬ＿ＧＲＯＵＰＩＮＧ＿ＩＤの例。
【００５７】
ＭＬＰＬ＿１がＭＣＣ＿１を含んでおり、ＭＬＰＬ＿２がＭＣＣ＿２を含んでいる場合、ＭＳＰＬ＿１は、ＭＣＣ＿１またはＭＣＣ＿２のいずれかをもつＰＬＭＮエントリのサブセットに適用される。
【００５８】
ＭＬＰＬ＿１がＭＣＣ＿１、ＭＮＣ＿１〜ＭＮＣ＿４を含んでおり、ＭＬＰＬ＿２がＭＣＣ＿２、ＭＮＣ＿７〜ＭＮＣ＿９を含んでいる場合、ＭＳＰＬ＿１は、ＭＣＣ＿１、ＭＮＣ＿１〜ＭＮＣ＿４またはＭＣＣ＿２、ＭＮＣ＿７〜ＭＣＣ＿９のいずれかをもつＰＬＭＮのサブセットに適用される。
【００５９】
ＭＬＰＬ＿１がＳＩＤ＿１、ＮＩＤ＿１〜ＮＩＤ＿７を含んでおり、ＭＬＰＬ＿２がＳＩＤ＿２、ＮＩＤ＿８〜ＮＩＤ＿９を含んでいる場合、ＭＳＰＬ＿１は、ＳＩＤ＿１、ＮＩＤ＿１〜ＮＩＤ＿７またはＳＩＤ＿２、ＮＩＤ＿８〜ＮＩＤ＿９をもつＰＲＬ中の（１つまたは複数の）ＧＥＯのサブセットに適用される。
【００６０】
ＭＬＰＬ＿１がＭＣＣ＿１、ＳＩＤ＿１、ＮＩＤ＿１〜ＮＩＤ＿７を含んでおり、ＭＬＰＬ＿２がＭＣＣ＿２、ＳＩＤ＿２を含んでいる場合、ＭＳＰＬ＿１は、ＭＣＣ＿１またはＭＣＣ＿２をもつＰＬＭＮエントリと、ＭＣＣ＿１、ＳＩＤ＿１、およびＮＩＤ＿１〜ＮＩＤ＿７またはＭＣＣ＿２をもつＰＲＬ中の（１つまたは複数の）ＧＥＯとのサブセットに適用される。
【００６１】
第４に、情報テキストの追加が行われ得、相互技術間のすべての相対的優先度の指定が推奨される（たとえば、３ＧＰＰ  ＰＬＭＮエントリおよび３ＧＰＰ２  ＰＲＬエントリ）。これにより、それらの相対的優先度のいかなるあいまいさも回避される。本質的に、これは、すべての残りのシステムの優先度を定義するために「任意」Ｐｒｉｏｒｉｔｙ＿ＣｌａｓｓがＭＳＰＬの最後に使用されることを確認することによって対処され得る。
【００６２】
例示的な態様では、ＭＬＰＬのための定義および情報テキストは、ＭＬＰＬ＿ＧＲＯＵＰＩＮＧ＿ＩＤについての説明とともに拡張され得る。さらに、ＭＭＳＳシステム優先度リスト（ＭＳＰＬ）のための定義および情報テキストは、Ｓｙｓｔｅｍ＿Ｔｙｐｅｓを用いたＭＳＰＬについての説明とともに拡張され得る。
【００６３】
ＭＭＳＳロケーション関連優先度リスト（ＭＬＰＬ）：ＭＬＰＬは、ロケーション固有情報に基づくグルーピングのリストである。ＭＬＰＬは、ロケーショングルーピングにおいて使用されるべきＭＭＳＳシステム優先度リストを基地局が指定することを可能にする。様々なタイプのロケーショングルーピングが表Ｃで指定されている。ＭＬＰＬ中の各エントリはＭＳＰＬをポイントする。
【表１】
0005442863.tif 000002
【００６４】
ＮＵＭ＿ＭＬＰＬ＿ＲＥＣＳは以下のオカーレンス（occurrence）である。
【表２】
0005442863.tif 000003
【００６５】
ＭＬＰＬ＿ＳＩＺＥはロケーション関連優先度リストサイズである。このフィールドは、ＭＬＰＬ＿ＳＩＺＥを含む、ＭＬＰＬのオクテットでの総サイズに設定される。
【００６６】
ＭＬＰＬ＿ＩＤは、ＭＭＳＳロケーション優先度リスト識別情報であり、基地局によって割り当てられるＭＬＰＬに一意の識別情報を与える。
【００６７】
ＮＵＭ＿ＭＬＰＬ＿ＲＥＣＳはオーバーレイシステム優先度記録の数である。このフィールドは、ＭＬＰＬ中のエントリの数に設定される。
【００６８】
ＭＬＰＬ＿ＧＲＯＵＰＩＮＧ＿ＩＤはＭＭＳＳロケーション関連優先度リストグルーピングＩＤである。このフィールドは、共通のＭＬＰＬ＿ＧＲＯＵＰＩＮＧ＿ＩＤをもつ複数のＭＬＰＬをグループ化するための値に設定される。値「００００  ００００  ００００」および「１１１１  １１１１  １１１１」が予約されるものとし、（予約された値以外の）共通のＭＬＰＬ＿ＧＲＯＵＰＩＮＧ＿ＩＤを共有するすべてのＭＬＰＬが、同じＭＳＰＬをポイントするものとする。
【００６９】
ＬＯＣ＿ＰＡＲＡＭ＿ＴＹＰＥはロケーションパラメータタイプである。このフィールドは、ロケーショングルーピングのために使用されるパラメータを識別する。可能なパラメータを表Ｃで説明する。ロケーションパラメータタイプは、ＭＣＣと、ＭＮＣと、ＴＡＧ＿ＩＤとの任意の組合せとして指定され得る。ビット０、１、および２がすべて「０」に設定されたとき、「デフォルト」タイプが使用されるものとする。「デフォルト」タイプは、デバイスにとってロケーション情報が利用可能でない場合を表す。「ＴＡＧ＿ＩＤ」ビットは、このＭＬＰＬ記録が属するロケーショングルーピングを指定する。
【００７０】
ＬＯＣ＿ＰＡＲＡＭ＿ＴＹＰＥ：
【表３】
0005442863.tif 000004
【００７１】
ＬＯＣ＿ＰＡＲＡＭ＿ＶＡＬはロケーションパラメータ値である。このフィールドは、ロケーショングルーピングのために使用されるＬＯＣ＿ＰＡＲＡＭ＿ＴＹＰＥに応じて、長さが可変である。各ＬＯＣ＿ＰＡＲＡＭ＿ＴＹＰＥのためのＬＯＣ＿ＰＡＲＡＭ＿ＶＡＬの長さを表Ｄで説明する。
【表４】
0005442863.tif 000005
【００７２】
ＮＵＭ＿ＳＹＳ＿ＬＯＣ＿ＴＡＧは以下のフィールドのオカーレンスである。
【表５】
0005442863.tif 000006
【００７３】
ＭＣＣはモバイル国コードである。ＬＯＣ＿ＰＡＲＡＭ＿ＴＹＰＥのビット０が「１」に設定された場合は、このフィールドは含まれ、モバイル国コードに設定されるものとし、他の場合は、このフィールドは省略されるものとする。
【００７４】
ＭＮＣはモバイルネットワークコードである。ＬＯＣ＿ＰＡＲＡＭ＿ＴＹＰＥのビット１が「１」に設定された場合は、このフィールドは含まれ、モバイルネットワークコードに設定されるものとし、他の場合は、このフィールドは省略されるものとする。
【００７５】
ＮＵＭ＿ＳＹＳ＿ＬＯＣ＿ＴＡＧ：ＬＯＣ＿ＰＡＲＡＭ＿ＴＹＰＥのビット２が「１」に設定された場合は、このフィールドは、このＬＯＣ＿ＰＡＲＡＭ＿ＶＡＬに適用可能なシステムロケーション情報の数に設定されるものとし、他の場合は、このフィールドは省略されるものとする。
【００７６】
ＳＹＳ＿ＴＹＰＥ：このフィールドは、表Ｈで指定されたシステムタイプに設定されるものとする。
【００７７】
ＳＹＳ＿ＬＯＣ＿ＴＡＧ＿ＳＩＺＥ：ＳＹＳ＿ＬＯＣ＿ＴＡＧのオクテットでのサイズ。
【００７８】
ＳＹＳ＿ＬＯＣ＿ＴＡＧ：このフィールドは、ＳＹＳ＿ＴＹＰＥにおいて指定されたシステムタイプに関連するシステム記録に従って設定されるものとする。
【００７９】
ＳＹＳ＿ＴＹＰＥが「００００００００」（ｃｄｍａ２０００）に設定された場合、ＳＹＳ＿ＬＯＣ＿ＴＡＧは以下の３つのフィールドからなり得る。
【表６】
0005442863.tif 000007
【００８０】
ＳＩＤは、ｃｄｍａ２０００におけるワイヤレスシステムを一意に識別する番号である。
【００８１】
ＮＩＤ＿ＳＴＡＲＴは、システムロケーションタグ中に含まれるべきｃｄｍａ２０００  ＰＲＬからの最初のＮＩＤ値を指定する。
【００８２】
ＮＩＤ＿ＲＡＮＧＥは、ｃｄｍａ２０００  ＰＲＬ内のＮＩＤ＿ＳＴＡＲＴに続く連続するＮＩＤの数を指定する。したがって、ＮＩＤ＿ＲＡＮＧＥによって指定された最後のＮＩＤ値は、ＮＩＤ＿ＳＴＡＲＴ＋ＮＩＤ＿ＲＡＮＧＥに等しいものとする。ただ１つのＮＩＤ値が指定された場合（すなわち、ＮＩＤ＿ＳＴＡＲＴ）、ＮＩＤ＿ＯＦＦＳＥＴは「００００００００」に設定されるものとする。
【００８３】
ＳＹＳ＿ＴＹＰＥが「０００００００１」（ＧＳＭ（登録商標）／ＵＭＴＳ／ＬＴＥ）に設定された場合、ＳＹＳ＿ＬＯＣ＿ＴＡＧは以下のフィールドからなり得る。
【表７】
0005442863.tif 000008
【００８４】
ＰＬＭＮ＿ＳＴＡＲＴは、システムロケーションタグ中に含まれるべきＧＳＭ（登録商標）／ＵＭＴＳ／ＬＴＥ  ＰＬＭＮセレクタリストからの最初のＰＬＭＮ値を指定する。
【００８５】
ＰＬＭＮ＿ＲＡＮＧＥは、ＰＬＭＮセレクタリスト内のＰＬＭＮ＿ＳＴＡＲＴに続く連続するＰＬＭＮの数を指定する。したがって、ＰＬＭＮ＿ＲＡＮＧＥによって指定された最後のＰＬＭＮ値は、ＰＬＭＮ＿ＳＴＡＲＴ＋ＰＬＭＮ＿ＲＡＮＧＥに等しいものとする。ただ１つのＰＬＭＮ値が指定された場合（すなわち、ＰＬＭＮ＿ＳＴＡＲＴ）、ＰＬＭＮ＿ＯＦＦＳＥＴは「００００００００」に設定され得る。
【００８６】
ＭＳＰＬ＿ＩＮＤＥＸはＭＭＳＳシステム優先度リストインデックスである。このフィールドは、ＭＬＰＬエントリに対応するＭＭＳＳシステム優先度リストのＭＳＰＬ＿ＩＤに設定される。
【００８７】
ＭＭＳＳシステム優先度リスト（ＭＳＰＬ）は、ｃｄｍａ２０００および非ｃｄｍａ２０００セルラーシステムの優先リストである。ＭＳＰＬは、マルチモード移動局がシステムを選択するのを支援する。システムが選択されると、移動局は、選択されたシステムがネットワークを取得するための標準ネットワーク選択プロシージャに従う。
【００８８】
ある規格（たとえば３ＧＰＰ、３ＧＰＰ２）内のシステムのネットワーク優先度は、その規格のルールによって規定され得る。ＭＭＳＳと別の規格のシステム優先度との間の競合がある場合、その規格の優先度が優先するものとする。ＭＭＳＳは、規格間（cross-standard）システム優先度と、無線アクセス技術（ＲＡＴ）が指定されていないときの同じ規格内のＲＡＴの優先度とを識別するためにのみ使用されるものとする。たとえば、端末がＧＳＭ（登録商標）モードにある場合、ＭＭＳＳは、非３ＧＰＰ規格のシステムに端末をポイントするか、またはＰＬＭＮエントリがＲＡＴを指定しないとき、同じＰＬＭＮの別の３ＧＰＰ  ＲＡＴ（たとえばＬＴＥ）に端末をポイントすることができる。後者は、ＲＡＴが指定されないとき、または２つ以上のＲＡＴが示されるとき、単一のエントリに対して行われる。ＭＳＰＬテーブルのプロビジョニングは、基礎をなす個々のシステムのシステム選択ルールに従うべきであることに留意されたい。
【００８９】
ＭＳＰＬは、ＭＳＰＬをインデックス付けする共通のＭＬＰＬ＿ＧＲＯＵＰＩＮＧ＿ＩＤをもつＭＬＰＬのグループによって定義されたネットワークのサブセットに適用され得る。たとえば、それぞれ単一の別個のＭＣＣを用いた、共通のＭＬＰＬ＿ＧＲＯＵＰＩＮＧ＿ＩＤをもつＭＬＰＬのグループの場合、（グループ中の各ＭＬＰＬがそれをポイントする）ＭＳＰＬは、ＭＬＰＬのこのグループによって指定されたＭＣＣの各々に関連する、基礎をなす規格におけるネットワークのみに適用される。
【００９０】
各規格のすべてのシステムエントリ間の相対的優先度は、相対的システム優先度が未定義のままにならないように、相対的優先度のいかなるあいまいさをも回避するように定義されるべきである。
【００９１】
ＭＳ中には１つまたは複数のＭＳＰＬがあり得る。ＭＳＰＬは、その移動局に無線で送られ得る。電源がオフにされると、ＭＳＰＬは移動局によって保持される。ＭＬＰＬにおけるロケーショングルーピングに関連するただ１つのＭＳＰＬがあるものとする。ＭＳＰＬは以下のフィールドからなり得る。
【表８】
0005442863.tif 000009
【００９２】
マルチモードシステム選択。マルチモードシステム選択（ＭＭＳＳ）のためのＭＭＳＳロケーション関連優先度リスト（ＭＬＰＬ）とＭＭＳＳシステム優先度リスト（ＭＳＰＬ）との使用を推奨する例示的な態様が提供される。ＭＬＰＬおよびＭＳＰＬは、それらの２つの優先度リストに基づいてサポートされるＷＷＡＮシステムを選択する目的で互いに使用される。
【００９３】
ＭＬＰＬは、ロケーション固有情報に基づく記録のリストである。ＭＬＰＬは、特定のロケーション記録のために使用されるべきＭＭＳＳシステム優先度リストを事業者が指定することを可能にする。一般に、ＭＬＰＬは多くのロケーション記録からなる。各ロケーション記録（または、同等に、ＭＬＰＬ記録）について、１〜３つのロケーションパラメータ値（すなわち、モバイル国コード（ＭＣＣ）、モバイルネットワークコード（ＭＮＣ）およびＳＹＳ＿ＬＯＣ＿ＴＡＧ）が、関連するＭＳＰＬを指定するＭＳＰＬ＿ＩＮＤＥＸとともに指定され得る。
【００９４】
ＭＳＰＬは、ｃｄｍａ２０００および非ｃｄｍａ２０００セルラーシステムに優先度を付けるための記録のリストである。ＭＳＰＬは、マルチモード移動局がシステムを選択するのを支援する。システムが選択されると、移動局は、そのシステムの要件に応じたネットワーク選択プロシージャに従う。ＭＬＰＬ記録において指定されたロケーショングルーピングに関連するただ１つのＭＳＰＬ記録があり得るが、任意の数のＭＬＰＬ記録が同じＭＳＰＬ＿ＩＮＤＥＸを有し得る。次の２つのセクションでは、ＭＬＰＬおよびＭＳＰＬについてより詳細に説明する。
【００９５】
ＭＭＳＳロケーション関連優先度リスト（ＭＬＰＬ）。ＭＬＰＬ記録は、１〜３つのロケーションパラメータ値、すなわち、ＭＣＣ、ＭＮＣおよびＳＹＳ＿ＬＯＣ＿ＴＡＧからなり得る。ＳＹＳ＿ＬＯＣ＿ＴＡＧは、システム内の特定のネットワークに関連するロケーションＴＡＧである。一般に、事業者は、ローミング契約がある各国についてＭＬＰＬ記録を定義することになる。システム選択の優先度が所与の国内で同じであるべきである場合、ロケーションパラメータ値を定義するためにＭＣＣパラメータのみが使用され得る。たとえば、ホーム事業者が５つの国とのローミング契約を有する場合、ＭＬＰＬは以下の５つの記録からなり得る。
【表９】
0005442863.tif 000010
【００９６】
各国は、ＭＳＰＬ＿ＩＮＤＥＸによって示されるただ１つのシステム選択優先度リストを有するので、ＭＮＣおよびＳＹＳ＿ＬＯＣ＿ＴＡＧは必要とされないことに留意されたい。第４および第５の記録は、両方とも同じＭＳＰＬ＿ＩＮＤＥＸに関連付けられる（すなわち、その２つの国は、システム選択のための優先度の同じ順序を有する）ことに留意されたい。
【００９７】
ＭＮＣおよびＳＹＳ＿ＬＯＣ＿ＴＡＧロケーションパラメータ値は、国内で複数のＭＳＰＬ記録が必要とされるときにのみ使用される。ＭＮＣは、所与の国において一意であり、特定の事業者に発行される。（たとえば、サービスの利用可能性により）その国の領域ごとにローミング契約が異なる場合、ホーム事業者は、２つのＭＳＰＬ記録をポイントする２つのＭＬＰＬ記録を作成することが必要であり得る。
【００９８】
たとえば、ホーム事業者は、事業者Ａ（ＭＮＣ＝１のＧＳＭ（登録商標）／ＵＭＴＳ／ＬＴＥ）および事業者Ｂ（ｃｄｍａ２０００）とのローミング契約を有し得るが、事業者Ｃ（ＭＮＣ＝２のＧＳＭ（登録商標）／ＵＭＴＳ／ＬＴＥ）および事業者Ｄ（ｃｄｍａ２０００）とのあまり良好でないローミング契約を有し得る。さらに、事業者ＡおよびＤは国の１つの領域（領域１）をサービスし、事業者ＢおよびＣは同じ国の別の領域（領域２）をサービスすると仮定する。領域１では、選好されるのは、移動局が事業者ＡのＧＳＭ（登録商標）システム上にローミングすることであり、その後に事業者Ｄのｃｄｍａ２０００システムが続く。領域２では、選好されるのは、事業者Ｂのｃｄｍａ２０００システムであり、その後に事業者ＣのＧＳＭ（登録商標）システムが続く。
【００９９】
システム選択のための事業者の要件に差があるので、ｃｄｍａ２０００とＧＳＭ（登録商標）／ＵＭＴＳ／ＬＴＥとの間の優先度を設定するために１つのＭＳＰＬを使用することは明らかに不十分である。ＭＮＣを使用する２つのＭＬＰＬ記録は次のように構築され得る。
【表１０】
0005442863.tif 000011
【０１００】
第１のＭＬＰＬ記録は、ＭＮＣ＝１（事業者Ａ）に関連付けられ、ＭＳＰＬ１をポイントする（ｃｄｍａ２０００よりもＧＳＭ（登録商標）／ＵＭＴＳ／ＬＴＥが選好される）ことに留意されたい。第２のＭＬＰＬ記録は、ＭＮＣ＝２（事業者Ｃ）に関連付けられ、ＭＳＰＬ２をポイントする（ＧＳＭ（登録商標）／ＵＭＴＳ／ＬＴＥよりもｃｄｍａ２０００が選好される）。領域１中で動作する移動局は第１のＭＬＰＬ記録を使用し、領域２中で動作する移動局は第２のＭＬＰＬ記録を使用する。
【０１０１】
場合によっては、事業者がＳＹＳ＿ＬＯＣ＿ＴＡＧ情報をＭＬＰＬ記録に追加することが望ましいことがある。ｃｄｍａ２０００についてのＳＹＳ＿ＬＯＣ＿ＴＡＧ情報は、特定のｃｄｍａ２０００ネットワークに関連するＳＩＤ／ＮＩＤ情報によって定義される。ただし、概して、同じＭＬＰＬ記録において異なるシステムに属する２つ以上のＳＹＳ＿ＬＯＣ＿ＴＡＧ情報があり得る（すなわち、ＳＹＳ＿ＬＯＣ＿ＴＡＧは、ＧＳＭ（登録商標）／ＵＭＴＳ／ＬＴＥおよびＷｉＭＡＸに関連付けられ得る）。事業者Ａ、Ｂ、ＣおよびＤについての上記と同じ例を使用して、さらに、事業者Ｂのｃｄｍａ２０００システムはＳＩＤ＝２とＮＩＤ＝２５とを使用し、事業者Ｄのｃｄｍａ２０００システムはＳＩＤ＝５とＮＩＤ＝４０とを使用すると仮定する。表Ｋに、ＳＹＳ＿ＬＯＣ  ＴＡＧを用いたＭＬＰＬを示す。
【表１１】
0005442863.tif 000012
【０１０２】
ＳＹＳ＿ＬＯＣ＿ＴＡＧ情報を用いて、移動局が、ＭＮＣ＝１のＧＳＭ（登録商標）／ＵＭＴＳ／ＬＴＥネットワークを発見したならば、第１のＭＬＰＬが使用されるであろう。移動局が、ＭＮＣ＝２のＧＳＭ（登録商標）／ＵＭＴＳ／ＬＴＥネットワークを発見したならば、第２のＭＬＰＬが使用されるであろう。モバイルが、ＳＩＤ＝２、ＮＩＤ＝２５のｃｄｍａ２０００ネットワークを発見したならば、第３のＭＬＰＬ記録が使用されるであろう。最後に、移動局が、ＳＩＤ＝５、ＮＩＤ＝４０のｃｄｍａ２０００ネットワークを発見したならば、第４のＭＬＰＬ記録が使用されるであろう。一般に、すべてのロケーションパラメータ値が、あらゆるシステムに適用可能であるわけではない。この例では、ＧＳＭ（登録商標）／ＵＭＴＳ／ＬＴＥシステムはＭＣＣおよびＭＮＣロケーションパラメータ値のみを使用し、ｃｄｍａ２０００はＭＣＣおよびＳＹＳ＿ＬＯＣ＿ＴＡＧロケーションパラメータ値のみを使用する。
【０１０３】
表Ｋ中の第１および第３のＭＬＰＬ記録は、同じＭＣＣ値を有し、両方とも同じＭＳＰＬ＿ＩＮＤＥＸにマッピングするので、ストレージスペースを低減するために、それらの２つのＭＬＰＬ記録を組み合わせて１つのＭＬＰＬ記録にすることができる（表Ｌを参照）。同様に、第２および第４のＭＬＰＬ記録を組み合わせて１つのＭＬＰＬ記録を形成することができる。この場合、第１のＭＬＰＬ記録は、移動局が、ＧＳＭ（登録商標）システム上で動作しながらＭＮＣ＝１を発見したか、またはｃｄｍａ２０００システム上で動作しながらＳＩＤ＝２／ＮＩＤ＝２５を発見した場合に使用される。第２のＭＬＰＬ記録は、移動局が、ＧＳＭ（登録商標）システム上で動作しながらＭＮＣ＝２を発見したか、またはｃｄｍａ２０００システム上で動作しながらＳＩＤ＝５／ＮＩＤ＝４０を発見した場合に使用される。
【０１０４】
上記の例の場合、表Ｋと表Ｌとは等価である。等価とは、移動局が、表ＫからのＭＬＰＬ記録を使用するにせよ、表ＬからのＭＬＰＬ記録を使用するにせよ、移動局が結局は同じＭＳＰＬ記録を選定することになることを意味するにすぎない。特に、移動局がＧＳＭ（登録商標）無線として動作するとき、ＳＹＳ＿ＴＹＰＥ＝「０」（ｃｄｍａ２０００）であるＳＹＳ＿ＬＯＣ＿ＴＡＧ情報は適用可能でない。したがって、ＧＳＭ（登録商標）無線の観点から、表Ｌ中のＭＬＰＬ記録１は、表Ｋ中のＭＬＰＬ記録１と等価である。同様に、この例ではｃｄｍａ２０００無線がシステム選択のためにＭＮＣを使用しないので、表Ｌ中のＭＮＣエントリはｃｄｍａ２０００無線に適用可能でない。したがって、ｃｄｍａ２０００無線の観点から、表Ｌ中のＭＬＰＬ記録１は、表Ｋ中のＭＬＰＬ記録１と等価である。しかしながら、ｃｄｍａ２０００無線がシステム選択のためにＭＮＣを使用する場合、表Ｌ中のＭＮＣはｃｄｍａ２０００のＭＮＣ値に一致しないので、表Ｋと表Ｌとは等価でない。
【表１２】
0005442863.tif 000013
【０１０５】
場合によっては、移動局は、ロケーションパラメータ値に基づいて選定するための２つ以上のＭＬＰＬ記録を有し得る。これらの場合、最も微細なグラニュラリティを用いたＭＬＰＬ記録（すなわち、ＳＹＳ＿ＬＯＣ＿ＴＡＧ情報を含んでいているＭＬＰＬ記録）が最初に選定され、その後に、より粗いグラニュラリティを用いたＭＬＰＬ記録（すなわち、ＭＮＣ情報を含んでいているＭＬＰＬ記録）が続く。最終的に、最も粗いレベルのグラニュラリティを用いたＭＬＰＬ記録（すなわち、ＭＣＣのみを含んでいているＭＬＰＬ記録）が最後に選定される。一例として、移動局が、ＭＣＣ１においてＳＩＤ＝５、ＮＩＤ＝４０のｃｄｍａ２０００ネットワークを取得した場合、移動局は、表Ｍ中の第３のＭＬＰＬ記録がより良いグラニュラリティを有するので、第３のＭＬＰＬ記録を使用する。一方、移動局がＭＣＣ１においてネットワークを取得したが、そのネットワークパラメータが、ＭＬＰＬ中のＭＮＣまたはＳＹＳ＿ＬＯＣ＿ＴＡＧのいずれにも一致しない場合、ＭＣＣ値のみをもつＭＬＰＬ記録が使用される。
【表１３】
0005442863.tif 000014
【０１０６】
ＭＭＳＳシステム優先度リスト（ＭＳＰＬ）：システムタイプ（すなわち、ＳＹＳ＿ＴＹＰＥ）に基づくシステム選択に加えて、ＭＳＰＬは、マルチモード移動局がどのシステムを選択すべきかを決定するのを支援するために、いくつかの追加のパラメータを有する。これらの追加のパラメータは、ＰＲＩ＿ＣＬＡＳＳ、ＳＹＳ＿ＰＲＩおよびＨＩＧＨＥＲ＿ＰＲＩ＿ＳＲＣＨ＿ＴＩＭＥを含む。特に、ＰＲＩ＿ＣＬＡＳＳは、システム内のネットワークの異なるクラスに基づいてシステム優先度を定義するために使用され得る。ＰＲＩ＿ＣＬＡＳＳパラメータは、３つの値のうちの１つをとることができる（「００００」＝ホーム、「０００１」＝好適および「００１０」＝任意）セクション３．５．１３．４を参照。すべての３つのフィールドは、表Ｈにリストされているシステムタイプのいずれにも適用可能である。各システムは優先度リストまたはローミングリストを作成するためのそれ自体の方法とフォーマットとを有するので、優先度リストまたはローミングリスト中でのＰＲＩ＿ＣＬＡＳＳとネットワークとのマッピングは、システムごとに異なるように見え得る。ｃｄｍａ２０００およびＧＳＭ（登録商標）／ＵＭＴＳ／ＬＴＥシステムのためのＰＲＩ＿ＣＬＡＳＳマッピングの例を以下で与える。
【０１０７】
ｃｄｍａ２０００について、１つのＧＥＯに対する好適ローミングリスト（ＰＲＬ）が以下のネットワークからなると仮定する。
【表１４】
0005442863.tif 000015
【０１０８】
表Ｎに基づいて、ＰＲＩ＿ＣＬＡＳＳの以下マッピングが推奨される。
【０１０９】
第１のエントリが上記ＧＥＯにおける最高優先度ネットワークであるので、ＰＲＩ＿ＣＬＡＳＳ＝「ホーム」はＩＮＤＥＸ＝０にマッピングする。
【０１１０】
ＳＩＤ＝３の次の３つのエントリは「ＰＲＩ」に基づく等しい優先度を有するので、ＰＲＩ＿ＣＬＡＳＳ＝「好適」はＩＮＤＥＸ＝０、１、２および３にマッピングする。また、ＩＮＤＥＸ＝０によって表される「ホーム」ネットワークは、定義上は「好適」中に含まれる。
【０１１１】
ＰＲＩ＿ＣＬＡＳＳ＝「任意」は、ＰＲＬにリストされているか否かにかかわらず、任意のｃｄｍａ２０００ネットワークにマッピングする。
【０１１２】
ＧＳＭ（登録商標）／ＵＭＴＳ／ＬＴＥは、ＰＬＭＮセレクタを形成するために、いくつかのネットワークリストを使用する。詳細には、ＧＳＭ（登録商標）／ＵＭＴＳ／ＬＴＥ  ＰＬＭＮセレクタは、ホームＰＬＭＮ（ＨＰＬＭＮ）または等価ＨＰＬＭＮ（ＥＨＰＬＭＮ）、ユーザ制御ＰＬＭＮ（ＵＰＬＭＮ）、事業者制御ＰＬＭＮ（ＯＰＬＭＮ）および禁止ＰＬＭＮを含んでいることがある。たとえば、ＥＨＰＬＭＮおよびＯＰＬＭＮが、あるＭＣＣにおいて以下のネットワークからなると仮定する。
【表１５】
0005442863.tif 000016
【０１１３】
ＰＬＭＮ１およびＰＬＭＮ２が両方ともＥＨＰＬＭＮリストに属するので、ＰＲＩ＿ＣＬＡＳＳ＝「ホーム」はＰＬＭＮ１およびＰＬＭＮ２にマッピングする。
【０１１４】
ＰＬＭＮ３および４がＯＰＬＭＮに属するので、ＰＲＩ＿ＣＬＡＳＳ＝「好適」はＰＬＭＮ１、２、３および４にマッピングする。また、ＰＬＭＮ１および２によって表される「ホーム」ネットワークは、定義上は「好適」中に含まれる。
【０１１５】
ＰＲＩ＿ＣＬＡＳＳ＝「任意」は、ＰＬＭＮセレクタにリストされているか否かにかかわらず、任意のＧＳＭ（登録商標）／ＵＭＴＳ／ＬＴＥネットワークにマッピングする。また、事業者はこのリストを制御しないので、このＰＲＩ＿ＣＬＡＳＳの下でＵＰＬＭＮが定義され得る。
【０１１６】
Ｓｙｓｔｅｍ＿Ｔｙｐｅｓを用いたＭＭＳＳシステム優先度リスト（ＭＳＰＬ）：このセクションでは、特定のエアインターフェース技術を使用する、システムタイプを用いたＭＳＰＬの例について説明する。
【０１１７】
第１の例として、エアインターフェース技術を使用する、以下に基づくシステム優先度付けについて考える。
【０１１８】
ＬＴＥ＞ＨＲＰＤ＞ＵＭＴＳ＞１ｘ＞ＧＳＭ（登録商標）。
【０１１９】
ＭＳＰＬは、表Ｐに記載のように設計され得る。このリストは対応する３ＧＰＰおよび３ＧＰＰ２システム優先度に一致するように設計されなければならないことに留意することが重要である。
【表１６】
0005442863.tif 000017
【０１２０】
第２の例として、以下のマルチモードシステム優先度リストについて考える。
【０１２１】
ＬＴＥ（ＭＣＣ＿１  ＭＮＣ１）
＞ＨＲＰＤ（Ｓｕｂｎｅｔ＿１）
＞ＬＴＥ（ＭＣＣ１、ＭＮＣ＿２〜ＭＮＣ＿３）
＞ＨＲＰＤ（Ｓｕｂｎｅｔ＿２）
＞ＵＭＴＳ（ＭＣＣ＿１、ＭＮＣ＿２〜ＭＮＣ＿３）
＞１ｘ（ＳＩＤ＿１、ＮＩＤ＿１）
＞ＧＳＭ（登録商標）（ＭＣＣ＿１、ＭＮＣ＿２〜ＭＮＣ＿３）
＞ｃｄｍａ２０００（任意）
＞ＧＳＭ（登録商標）／ＵＭＴＳ／ＬＴＥ（任意）。
【０１２２】
これは、表Ｒ中のＰＲＬと、表Ｓ中のＰＬＭＮセレクタリストと、表Ｔ中のＭＬＰＬのＭＬＰＬ記録１とに基づいて表Ｑを使用してＭＳＰＬを設計することによって実現され得る。ＭＣＣ１がＳＩＤ１にマッピングすると仮定する。
【表１７】
0005442863.tif 000018
【表１８】
0005442863.tif 000019
【表１９】
0005442863.tif 000020
【０１２３】
ここで、ＭＬＰＬ＿ＧＲＯＵＰＩＮＧ＿ＩＤの使用について説明する例示的なＭＬＰＬの表Ｔを示す。
【０１２４】
ＭＬＰＬ記録１はＭＳＰＬ１をポイントする。ＭＳＰＬ１は、ＭＣＣ１をもつＰＬＭＮリストエントリと、ＭＣＣ１と等価なＳＩＤ１をもつ１つまたは複数のエントリを含んでいるＰＲＬの（１つまたは複数の）ＧＥＯとのサブセットに適用される。
【０１２５】
ＭＬＰＬ記録２はＭＳＰＬ２をポイントする。ＭＳＰＬ２は、ＭＣＣ２をもつＰＬＭＮリストエントリと、ＭＣＣ２と等価なＳＩＤをもつ１つまたは複数のエントリを含んでいるＰＲＬの（１つまたは複数の）ＧＥＯとのサブセットに適用される。
【０１２６】
ＭＬＰＬ記録３および４は、各々がＭＳＰＬ３をポイントする、ＭＬＰＬ＿ＧＲＯＵＰＩＮＧ＿ＩＤ３をもつグループを形成する。ＭＳＰＬ３は、ＭＣＣ３またはＭＣＣ４のいずれかをもつＰＬＭＮリストエントリと、ＭＣＣ３またはＭＣＣ４のいずれかと等価なＳＩＤをもつ１つまたは複数のエントリを含んでいるＰＲＬの（１つまたは複数の）ＧＥＯとのサブセットに適用される。
【０１２７】
ＭＬＰＬ記録５はＭＳＰＬ３をポイントする。ＭＳＰＬ３は、ＭＣＣ５をもつＰＬＭＮリストエントリと、ＭＣＣ５と等価なＳＩＤをもつ１つまたは複数のエントリを含んでいるＰＲＬの（１つまたは複数の）ＧＥＯとのサブセットに適用される。
【０１２８】
ＭＬＰＬ記録６はＭＳＰＬ３をポイントする。ＭＳＰＬ３は、ＭＣＣ６をもつＰＬＭＮリストエントリと、ＭＣＣ６と等価なＳＩＤをもつ１つまたは複数のエントリを含んでいるＰＲＬの（１つまたは複数の）ＧＥＯとのサブセットに適用される。
【０１２９】
ＭＬＰＬ記録７はＭＳＰＬ１をポイントする。ＭＳＰＬ１は、ＭＣＣ７、ＭＮＣ３をもつＰＬＭＮリストエントリと、ＭＣＣ７、ＭＮＣ３と等価なＳＩＤおよびＮＩＤ、またはＳＩＤ３、ＮＩＤ１をもつ１つまたは複数のエントリを含んでいるＰＲＬの（１つまたは複数の）ＧＥＯとのサブセットに適用される。
【０１３０】
ＭＬＰＬ記録８および９は、各々がＭＳＰＬ２をポイントする、ＭＬＰＬ＿ＧＲＯＵＰＩＮＧ＿ＩＤ７をもつグループを形成する。ＭＳＰＬ２は、ＰＬＭＮ８から、その次の４つの連続するエントリを含む、ＰＬＭＮリストエントリと、ＳＩＤ９およびＮＩＤ３以上ＮＩＤ７以下をもつＰＲＬのＧＥＯとのサブセットに適用される。
【表２０】
0005442863.tif 000021
【０１３１】
図２に、ワイヤレスワイドエリアネットワークにおけるマルチモードシステム選択のための方法または動作シーケンス２００を示す。ブロック２０２において、モバイルデバイスがネットワーク情報（たとえば、ＭＣＣ、ＳＩＤ、ＮＩＤ、およびＨＲＰＤサブネットＩＤのうちの１つまたは複数）を検出する。ブロック２０４において、モバイルデバイスは、ネットワーク情報を使用して現在のジオ空間ロケーション（ＧＥＯ）カバレージ領域を判断する。ブロック２０６において、モバイルデバイスは、現在のジオ空間ロケーションカバレージ領域に基づいてシステム選択ロケーション優先度リストのサブセットを選択する。ブロック２０８において、モバイルデバイスは、システム選択ロケーション優先度リストのサブセット（たとえば、ＭＬＰＬ）を関連するシステム優先度情報のセット（たとえば、ＭＳＰＬ）にマッピングすることによって、基礎をなすシステム選択情報（たとえば、ＰＬＭＮ、ＰＲＬ）中のエントリをスケールダウンする。たとえば、ブロック２１０において、マッピングは、ＭＬＰＬとＭＳＰＬとの１対１のマッピングとすることができる。別の例では、ブロック２１２において、マッピングは、ＭＬＰＬとＭＳＰＬとの多対１マッピングとすることができる。ブロック２１４において、マッピングは、ネットワークから受信した１つまたは複数のＭＬＰＬのためのグルーピング識別子を検出することによるマッピングとすることができる。ブロック２１６において、モバイルデバイスは、次いで、システム選択優先度リストに従って選択される無線アクセス技術に応じて利用可能なアクセスノードを選択することができる。ブロック２１８において、スケーリングおよびマッピングは、ＭＳＰＬ中に含まれている無線アクセス技術の好適クラスパラメータに関して達成され得る。ブロック２２０において、スケーリングおよびマッピングは、ＭＳＰＬ中に含まれている無線アクセス技術のシステムタイプパラメータに関して達成され得る。ブロック２２２において、モバイルデバイスは、次いで、エアインターフェースを介して利用可能なアクセスノードと通信することができる。場合によっては、ブロック２２４において、ベターサービスリセレクション走査が、異なる無線アクセス技術に限定され得る。
【０１３２】
図３を参照すると、ワイヤレスワイドエリアネットワークにおけるマルチモードシステム選択のためのシステム３００が示されている。たとえば、システム３００は、少なくとも部分的にモバイルデバイス、アクセス端末またはユーザ機器内に常駐することができる。システム３００は機能ブロックを含むものとして表されており、その機能ブロックは、コンピューティングプラットフォーム、プロセッサ、ソフトウェア、またはそれらの組合せ（たとえばファームウェア）によって実装される機能を表す機能ブロックとすることができることを諒解されたい。システム３００は、連携して動作することができる電気構成要素の論理グルーピング３０２を含む。別の例では、論理グルーピング３０２は、現在のジオ空間ロケーションカバレージ領域を判断するための電気構成要素３０４を含むことができる。別の例では、論理グルーピング３０２は、現在のジオ空間ロケーションカバレージ領域に基づいてシステム選択ロケーション優先度リストのサブセットを選択するための電気構成要素３０６を含むことができる。その上、論理グルーピング３０２は、システム選択ロケーション優先度リストのサブセットを関連するシステム優先度情報のセットにマッピングすることによって、基礎をなすシステム選択情報中のエントリをスケールダウンするための電気構成要素３０８を含むことができる。さらに、論理グルーピング３０２は、エアインターフェースを介して利用可能なアクセスノードと通信するための電気構成要素３１０を含むことができる。さらに、論理グルーピング３０２は、システム選択優先度リストに従って選択される無線アクセス技術に応じて利用可能なアクセスノードを選択するための電気構成要素３１２を含むことができる。さらに、システム３００は、電気構成要素３０４〜３１２に関連する機能を実行するための命令を保持するメモリ３２０を含むことができる。メモリ３２０の外部にあるものとして示されているが、電気構成要素３０４〜３１２の１つまたは複数は、メモリ３２０の内部に存在することができることを理解されたい。
【０１３３】
図４に、ワイヤレスワイドエリアネットワークにおけるマルチモードシステム選択のための装置４０２を示す。現在のジオ空間ロケーションカバレージ領域を判断するための手段４０４が提供される。現在のジオ空間ロケーションカバレージ領域に基づいてシステム選択ロケーション優先度リストのサブセットを選択するための手段４０６が提供される。システム選択ロケーション優先度リストのサブセットを関連するシステム優先度情報のセットにマッピングすることによって、基礎をなすシステム選択情報中のエントリをスケールダウンするための手段４０８が提供される。システム選択優先度リストに従って選択される無線アクセス技術に応じて利用可能なアクセスノードを選択するための手段４１０が提供される。エアインターフェースを介して利用可能なアクセスノードと通信するための手段４１２が提供される。
【０１３４】
図５に、本明細書で説明する様々な態様による、マルチモードワイヤレス通信システムにおける好適なシステム選択を可能にするシステム５００を示す。図５に示すように、システム５００は、１つまたは複数の基地局（たとえば、アクセスポイント（ＡＰ）、ノードＢ、進化型ノードＢ（ｅＮＢ）など）５５０と対話することができる１つまたは複数の端末（たとえば、アクセス端末（ＡＴ）、モバイル端末、ユーザ機器ユニット（ＵＥ）など）５１０を含むことができる。一例では、基地局５５０は、端末５１０との１つまたは複数のダウンリンク（ＤＬ、順方向リンク（ＦＬ）とも呼ばれる）通信に関与することができ、端末５１０は、基地局５５０との１つまたは複数のアップリンク（ＵＬ、逆方向リンク（ＲＬ）とも呼ばれる）通信に関与することができる。
【０１３５】
一態様によれば、システム５００に対応するエリアが複数の基地局５５０によってサービスされ得、基地局５５０の各々は、１つまたは複数の無線アクセス技術（ＲＡＴ）の下で通信機能を与えることができる。これらの無線アクセス技術は、様々な規格団体によって作成された１つまたは複数の技術を含むことができる。具体的な例として、所与の地理的エリアにおいて使用されている無線技術は、ＧＳＭ（登録商標）、Ｇｅｎｅｒａｌ  Ｐａｃｋｅｔ  Ｒａｄｉｏ  Ｓｅｒｖｉｃｅ（ＧＰＲＳ）、Ｅｎｈａｎｃｅｄ  Ｄａｔａ  Ｒａｔｅｓ  ｆｏｒ  ＧＳＭ（登録商標）  Ｅｖｏｌｕｔｉｏｎ（ＥＤＧＥ）、ＵＭＴＳ、ＬＴＥなどの、３ＧＰＰ規格、ＩＳ−９５、ＣＤＭＡ２０００（たとえば、１Ｘ、Ｅｖｏｌｕｔｉｏｎ−Ｄａｔａ  Ｏｐｔｉｍｉｚｅｄ（ＥＶ−ＤＯ）など）、ＵＭＢなどの、３ＧＰＰ２規格、Ｗｉ−Ｆｉ、ＷｉＭＡＸなどの、ＩＥＥＥ規格、および／または任意の他の好適な規格に従って実装され得る。
【０１３６】
一例では、端末５１０は、１つまたは複数の規格団体によって実装される複数の無線アクセス技術の多目的使用を可能にするためにマルチモード動作が可能であり得る。マルチモード端末は、たとえば、それぞれの異種エアインターフェース技術に基づいて複数のネットワークを利用するネットワーク事業者によって利用され得る。たとえば、マルチモード端末は、新しい無線アクセス技術を利用するためにネットワークインフラストラクチャの一部分を更新するネットワーク事業者であって、ただし、依然として、異なる地理的エリアおよび／またはネットワーク環境における汎用性の向上のためにネットワークのより古いレガシー部分をそれぞれの端末が利用することが可能であることを望むネットワーク事業者によってサポートされ得る。
【０１３７】
一態様によれば、異なるエアインターフェース技術の下で様々なネットワークを利用することが可能な端末５１０は、システム５００において通信すべき好適なシステムを選択するための１つまたは複数のプロシージャを実装することができる。一例では、端末５１０は、システム優先度情報またはリスティング５１２、システムリスティング情報５１４、および／またはロケーション情報５５２などの情報に、システム選択の基礎をおくことができる。図５に示すように、システム優先度情報５１２および（１つまたは複数の）システムリスティング５１４は端末５１０にローカルに記憶され得、ロケーション情報は関連する基地局５５０から識別され得るが、端末５１０は、システム５００内のまたはシステム５００とは別の任意のソースから、そのような情報、および／またはシステム選択を行うために適した他の情報を取得することができることを諒解されたい。さらに、別段に明記されていない限り、本明細書に添付の特許請求の範囲は、情報の特定の（１つまたは複数の）ロケーションに限定されるものではないことを諒解されたい。
【０１３８】
システム優先度情報５１２および／または（１つまたは複数の）システムリスティング５１４は、一例では、端末５１０によって利用され得るそれぞれのエアインターフェース技術および／または技術のグループに対応するデータベースのセットとして端末５１０に記憶され得る。したがって、たとえば、３ＧＧＰ技術、３ＧＧＰ２技術、ＩＥＥＥ技術、および／または技術の任意の他の好適なグループに対応する異なるデータベースが与えられ得る。そのようなデータベースは、加入者識別モジュール（ＳＩＭ）カード、メモリ、および／またはハードディスク、メモリカード、ＣＤ−ＲＯＭディスクなどの他の機械可読データストレージを介して端末５１０に記憶され得る。
【０１３９】
一態様によれば、異なるデータベースが端末５１０によって利用される場合、そのようなデータベースは、情報の異なる、重複しないサブセットを利用し得、異なる様式でフォーマットされ得、および／または１つまたは複数の他の物理的な点が異なり得る。具体的な例として、端末５１０が、規格の両方のセットに対応するシステム優先度情報５１２とシステムリスティング５１４とを記憶するように、端末５１０は、３ＧＰＰと３ＧＰＰ２の両方のシステム選択が可能であり得る。しかしながら、高レベルにおいて、規格のそれぞれのセットのための情報５１２および５１４の各セットは、事業者、アクセス技術、および／または他の情報に基づいてシステムを選択するための優先度順序付けを指定するが、３ＧＰＰおよび３ＧＰＰ２動作のためのそのような情報５１２および５１４の低レベル設計は、著しく異なることがあることが諒解できよう。たとえば、３ＧＰＰのためのシステムリスティング５１４は、それぞれの３ＧＰＰシステムに対応するモバイル国コード（ＭＣＣ）／モバイルネットワークコード（ＭＮＣ）情報のみを与える非常に粗いリスティングであり得るが、３ＧＰＰ２のためのシステムリスティングは、システム識別子（ＳＩＤ）、ネットワーク識別子（ＮＩＤ）、無線周波数（ＲＦ）帯域クラスおよび／またはチャネル情報、取得タイプ情報などを含むより包括的なリストであり得る。さらに、３ＧＰＰ優先度情報が（たとえば、対応するＭＣＣによって指定される）それぞれの国および／または他の同様のエリアのための優先度によって順序付けられるシステムのリスティングのみからなり得るという点で、システムリスティング５１４および／または優先度情報５１２のフォーマッティングは異なり得るが、３ＧＰＰ２優先度情報は、様々なシステムが優先度レベルを共有し、および／またはジオ空間ロケーション（ＧＥＯ）などの実質的により緊密なエリアのための優先度リスティングのサブセットを与えることを可能にするためにフォーマットされ得る。したがって、様々な技術および／または技術のグループのためのシステム優先度情報５１２およびシステムリスティング５１４の差に基づいて、利用される各モードおよび／または規格について個々の別々のリストが与えられれば、１つまたは複数のロケーションのためのマルチモードシステムの好適なリストを作成することを望んでいる端末５１０は、そうすることの困難に遭遇することがある。
【０１４０】
したがって、一態様によれば、端末５００は、マルチモードリスト生成器５２０を含むことができ、マルチモードリスト生成器５２０は、システム５００において通信すべきシステムを選択するために端末５１０によって利用され得る単一のマルチモード好適システムリスト５３０を生成するために、複数の異なる規格および／またはエアインターフェース技術に対応するシステム優先度情報５１２およびシステムリスティング５１４を合成することができる。具体的な例として、端末５１０は、１つまたは複数の３ＧＰＰ規格（たとえば、ＬＴＥ）、１つまたは複数の３ＧＰＰ２規格（たとえば、ＣＤＭＡ２０００）、および／または他の好適な規格の下での動作が可能であり得る。そのような規格に対応するシステム優先度情報５１２およびシステムリスティング５１４に基づいて、１つまたは複数の地理的ロケーションに関係するロケーション情報５５２とともに、端末５１０は、マルチモード好適システムリスト５３０を生成するために、マルチモードリスト生成器５２０を利用することができ、それによって、ロケーション情報５５２によって与えられる１つまたは複数のロケーション中の端末５１０によってサポートされる任意の通信技術を使用して通信ネットワークを発見する能力を端末５１０に与える。
【０１４１】
一例では、マルチモードリスト生成器５２０は、依然として情報のより粗いセットのためのサポートを行いながら、所与の情報中に与えられる微細粒状情報を組み込むことによって、汎用的な方法でマルチモード好適システムリスト５３０を生成することができる。マルチモード好適システムリストを作成するための具体的な技法について、以下でさらに詳細に説明する。
【０１４２】
別の例では、ロケーション情報５５２は、システム５００内の端末５１０の現在のロケーションに対応することができる。端末５１０の現在のロケーションを利用することによって、マルチモードリスト生成器５２０は、端末５１０が配置されるエリアにカバレージを与える様々なシステムを含むマルチモード好適システムリスト５３０を端末５１０に与えることができる。これは、たとえば、端末５１０の当該ロケーションに関係する情報のみを組み込むために、システム優先度情報５１２および／またはシステムリスティング５１４の１つまたは複数の一般化されたセットをプルーニングすることによって達成され得る。それぞれのロケーションに対応する様々なマルチモード好適システムリスト５３０は、端末５１０において事前生成され、事前記憶され得るか、または一例では、特定のロケーション（たとえば、都市、国など）のためのマルチモード好適システムリスト５３０は、端末５１０が前記ロケーションに入ったと判断されると、自動的に生成され得る。
【０１４３】
一態様によれば、端末５１０は、本明細書で説明する端末５１０の機能の一部または全部を実装し、および／または場合によっては可能にするために利用され得る、プロセッサ５４２および／またはメモリ５４４をさらに含むことができる。同様に、基地局５５０は、本明細書で説明する基地局５５０の一部または全部の機能を可能にし、および／または実装するための、プロセッサ５５４および／またはメモリ５５６を含むことができる。
【０１４４】
次に図６を参照すると、本明細書で説明する様々な態様に従って利用され得る例示的なシステム選択プロシージャ階層を示す図６００が与えられている。図６００によって示される例では、システム選択プロシージャ６１０〜６２０のセットが利用され得、そのそれぞれは、それぞれの技術グループに対応することができる。技術グループは、それぞれの規格団体によって実装されるＲＡＴおよび／または他の適切なグルーピングに対応することができる。
【０１４５】
一例では、システム選択プロシージャ６１０および／または６２０のセットは、対応する技術グループを利用するネットワークを選択する際に端末によって利用されるルールおよび／またはデータベースを含むことができる。システム選択プロシージャは、端末においてローカルに記憶され得、別の関連するエンティティからオンデマンド方法で端末に与えられ得、および／または任意の他の好適な方法で端末によって取得され得る。一態様によれば、システム選択プロシージャ６１０〜６２０の複数のセットは、オーバーレイ６３０を使用して統合され得、オーバーレイ６３０は、複数の技術グループ間のマルチモード動作を可能にするために個々のシステム選択プロシージャ６１０〜６２０の上に適用される１つまたは複数のルールまたはデータベースを含むことができる。
【０１４６】
システム選択プロシージャオーバーレイ実装形態の具体的な非限定的な例、ならびにマルチモード好適システムリストを生成するための技法の具体的な例が、図７中のシステム７００によって示されている。図７に示すように、データベース７１０〜７５０の形態でのシステム選択情報が、モバイルハンドセットおよび／または任意の他の好適なデバイスによって利用され得る。より詳細には、データベースは、パブリックランドモバイルネットワーク（ＰＬＭＮ）リスト７１０と、好適ローミングリスト（ＰＲＬ）７２０と、１つまたは複数の他のシステム情報データベース７３０と、マルチモードシステム選択（ＭＭＳＳ）ロケーション優先度リスト（ＭＬＰＬ）７４０と、ＭＭＳＳシステム優先度リスト（ＭＳＰＬ）データベース７５０とを含むことができる。
【０１４７】
１つの具体的な例では、ＰＬＭＮリスト７１０は、ＰＬＭＮのリストを含むことができ、それのストレージに必要なスペース量を最小限に抑えるために、小さい、粗いネットワークリストとして構成され得る。たとえば、ＰＬＭＮリスト７１０中のそれぞれのネットワークは、ネットワークが配置される国に対応するＭＣＣとネットワークの事業者に対応するＭＮＣとのみを使用して識別され、優先度の降順でＰＬＭＮリスト７１０に入れられ得る。しかしながら、ＰＬＭＮリスト７１０は、任意の好適なフォーマッティングおよび／または情報を利用することができることを諒解されたい。さらに示すように、ＰＬＭＮリスト７１０は、ホームネットワークとして分類されるネットワークを指定することができる等価ホームＰＬＭＮ（ＥＨＰＬＭＮ）リスト、１つまたは複数の好適なネットワークを指定することができる事業者ＰＬＭＮ（ＯＰＬＭＮ）リスト、および／または任意の他の好適なリストを使用して構築され得る。
【０１４８】
別の具体的な例では、ＰＲＬ７２０は、それぞれのＳＩＤおよび／またはＮＩＤによって識別されるシステムのリストを含むことができる。ＰＬＭＮリスト７１０とは対照的に、ＰＲＬ７２０は、ストレージスペース要件よりも情報の詳細を選好する、より粒度の細かい詳細なリストとすることができる。したがって、ＳＩＤ／ＮＩＤおよびＲＡＴ情報に加えて、ＰＲＬ７２０は、ＲＦ帯域クラスおよび／またはチャネル情報、取得タイプ情報、ならびに／あるいはそれぞれのシステムに関係する他の情報などの情報をさらに含んでいることがある。さらに、ＰＲＬ７２０は、複数のシステムが同じ優先度レベルを共有することを可能にすることができる優先度レベル情報を含むことができる。図７にさらに示すように、ＰＲＬ７２０は、都市、州、および／または他の地理的領域に対応することができる共通のジオ空間ロケーションまたはＧＥＯ中に配置されるシステムのより小さいリストにグループ化され得る。
【０１４９】
したがって、一態様によれば、ＰＬＭＮリスト７１０およびＰＲＬ７２０は、図６中のシステム選択プロシージャ６１０および６２０と同様の方法で、様々な無線技術のためのモバイルハンドセットのシステム選択プロシージャを与えることができることが諒解できよう。システム７００にさらに示すように、システム選択プロシージャの１つまたは複数の他のセット７３０も利用され得る。
【０１５０】
別の態様によれば、図６に示すものと同様のシステム選択プロシージャオーバーレイは、ＭＬＰＬ７４０およびＭＳＰＬデータベース７５０としてシステム７００中に与えられ得る。一例では、ＭＬＰＬ７４０は、その各々が、少なくとも１つのシステムを識別することができるＭＬＰＬ記録のセットを含んでいることがある。一例では、ＭＬＰＬ７４０は、ＰＬＭＮリスト７１０、ＰＲＬ７２０、他のシステム情報７３０、および／または任意の他の好適なリスティングにリストされているシステムの記録を含むことができる。さらに、ＭＬＰＬ７４０中の各記録は、ＭＳＰＬデータベース７５０中のＭＳＰＬをポイントすることができる。一例では、ＭＳＰＬデータベース７５０中のそれぞれのＭＳＰＬは、それをポイントするシステムの優先度リスティングを指定するルールを与えることができる。
【０１５１】
図８は、本明細書で説明する機能の様々な態様を実装するために利用され得るシステム８００のブロック図である。一例では、システム８００は、基地局またはノードＢ８０２を含む。図示のように、ノードＢ８０２は、１つまたは複数の受信（Ｒｘ）アンテナ８０６を介して１つまたは複数のＵＥ８０４から（１つまたは複数の）信号を受信し、１つまたは複数の送信（Ｔｘ）アンテナ８０８を介して１つまたは複数のＵＥ８０４にその信号を送信することができる。さらに、ノードＢ８０２は、（１つまたは複数の）受信アンテナ８０６から情報を受信する受信機８１０を備えることができる。一例では、受信機８１０は、受信した情報を復調する復調器８１２に動作可能に結合され得る。次いで、復調されたシンボルは、プロセッサ８１４によって分析され得る。プロセッサ８１４は、コードクラスタ、アクセス端末割当て、それに関するルックアップテーブル、固有のスクランブル系列に関する情報、および／または他の好適なタイプの情報を記憶することができるメモリ８１６に結合され得る。一例では、ノードＢ８０２はまた、送信機８２０によって（１つまたは複数の）送信アンテナ８０８を介して送信するために信号を多重化することができる変調器８１８を含むことができる。
【０１５２】
図９は、本明細書で説明する機能の様々な態様を実装するために利用され得る別のシステム９００のブロック図である。一例では、システム９００はモバイル端末９０２を含む。図示のように、モバイル端末９０２は、１つまたは複数のアンテナ９０８を介して、１つまたは複数の基地局９０４から（１つまたは複数の）信号を受信し、１つまたは複数の基地局９０４にその信号を送信することができる。さらに、モバイル端末９０２は、（１つまたは複数の）アンテナ９０８から情報を受信する受信機９１０を備えることができる。一例では、受信機９１０は、受信した情報を復調する復調器９１２に動作可能に結合され得る。次いで、復調されたシンボルは、プロセッサ９１４によって分析され得る。プロセッサ９１４は、モバイル端末９０２に関するデータおよび／またはプログラムコードを記憶することができるメモリ９１６に結合され得る。さらに、モバイル端末９０２は、方法９００〜１３００、ならびに／または他の同様のおよび適切な方法を実行するために、プロセッサ９１４を採用することができる。モバイル端末９０２はまた、（１つまたは複数の）アンテナ９０８を介して送信機９２０によって送信するために信号を多重化することができる変調器９１８を含むことができる。
【０１５３】
いくつかの態様では、マクロスケールのカバレージ（たとえば、一般にマクロセルネットワークと呼ばれる、３Ｇネットワークなどの広域セルラーネットワーク）と、より小さいスケールのカバレージ（たとえば、レジデンスベースまたは建築物ベースのネットワーク環境）とを含むネットワーク中で、本明細書の教示を採用し得る。アクセス端末（「ＡＴ」）がそのようなネットワーク中を移動するとき、アクセス端末は、あるロケーションでは、マクロカバレージを与えるアクセスノード（「ＡＮ」）によってサービスされ得、他のロケーションでは、より小さいスケールのカバレージを与えるアクセスノードによってサービスされ得る。いくつかの態様では、より小さいカバレージノードを使用して、（たとえば、よりロバストなユーザエクスペリエンスのために）増分キャパシティの増大と、屋内カバレージと、様々なサービスとを与え得る。本明細書での説明では、比較的大きいエリアにわたるカバレージを与えるノードを、マクロノードと呼ぶことがある。比較的小さいエリア（たとえば、住居）にわたるカバレージを与えるノードを、フェムトノードと呼ぶことがある。マクロエリアよりも小さく、フェムトエリアよりも大きいエリアにわたるカバレージを与える（たとえば、商業建築物内のカバレージを与える）ノードを、ピコノードと呼ぶことがある。
【０１５４】
マクロノード、フェムトノード、またはピコノードに関連付けられたセルを、それぞれ、マクロセル、フェムトセル、またはピコセルと呼ぶことがある。いくつかの実装形態では、各セルをさらに１つまたは複数のセクタに関連付ける（たとえば、分割する）ことがある。
【０１５５】
様々な適用例では、マクロノード、フェムトノード、またはピコノードを指すために他の用語を使用することがある。たとえば、マクロノードを、アクセスノード、基地局、アクセスポイント、ｅノードＢ、マクロセルなどとして構成すること、またはそのように呼ぶことがある。また、フェムトノードを、ホームノードＢ、ホームｅノードＢ、アクセスポイント基地局、フェムトセルなどとして構成すること、またはそのように呼ぶことがある。
【０１５６】
ワイヤレス多元接続通信システムは、複数のワイヤレスアクセス端末のための通信を同時にサポートし得る。上述のように、各端末は、順方向リンクおよび逆方向リンク上での送信を介して１つまたは複数の基地局と通信し得る。順方向リンク（またはダウンリンク）は基地局から端末への通信リンクを指し、逆方向リンク（またはアップリンク）は端末から基地局への通信リンクを指す。この通信リンクは、単入力単出力システム、多入力多出力（「ＭＩＭＯ」）システム、または何らかの他のタイプのシステムを介して確立され得る。
【０１５７】
図１０を参照すると、一態様による多元接続ワイヤレス通信システムが示されている。アクセスポイント（ＡＰ）１０００は複数のアンテナグループを含み、あるアンテナグループは１００５と１００６とを含み、別のアンテナグループは１００８と１０１０とを含み、追加のアンテナグループは１０１２と１０１４とを含む。図１０では、アンテナグループごとに２つのアンテナのみが示されているが、アンテナグループごとにより多いまたはより少ないアンテナが利用され得る。アクセス端末（ＡＴ）１０１６はアンテナ１０１２および１０１４と通信中であり、アンテナ１０１２および１０１４は、順方向リンク１０２０上でアクセス端末１０１６に情報を送信し、逆方向リンク１０１８上でアクセス端末１０１６から情報を受信する。アクセス端末１０２２はアンテナ１００６および１００８と通信中であり、アンテナ１００６および１００８は、順方向リンク１０２６上でアクセス端末１０２２に情報を送信し、逆方向リンク１０２４上でアクセス端末１０２２から情報を受信する。ＦＤＤシステムでは、通信リンク１０１８、１０２０、１０２４および１０２６は、通信のための異なる周波数を使用し得る。たとえば、順方向リンク１０２０は、逆方向リンク１０１８によって使用される周波数とは異なる周波数を使用し得る。
【０１５８】
アンテナの各グループ、および／またはアンテナが通信するために設計されたエリアは、しばしば、アクセスポイントのセクタと呼ばれる。本態様では、アンテナグループはそれぞれ、アクセスポイント１０００によってカバーされるエリアのセクタ内でアクセス端末に通信するように設計される。
【０１５９】
順方向リンク１０２０および１０２６上の通信では、アクセスポイント１０００の送信アンテナは、異なるアクセス端末１０１６および１０２２に対して順方向リンクの信号対雑音比を改善するためにビームフォーミングを利用する。また、アクセスポイントが、ビームフォーミングを使用して、そのカバレージ中にランダムに分散されたアクセス端末に送信するほうが、アクセスポイントが単一のアンテナを介してすべてのそのアクセス端末に送信するよりも、隣接セル中のアクセス端末への干渉が小さくなる。
【０１６０】
アクセスポイントは、端末との通信に使用される固定局でもよく、アクセスポイント、ノードＢ、または何らかの他の用語で呼ばれることもある。アクセス端末は、ユーザ機器（ＵＥ）、ワイヤレス通信デバイス、端末、または何らかの他の用語で呼ばれることもある。
【０１６１】
さらに、本明細書で開示した態様に関して説明した様々な例示的な論理ブロック、モジュール、回路、およびアルゴリズムステップは、電子ハードウェア、コンピュータソフトウェア、または両方の組合せとして実装され得ることを当業者なら諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課せられた設計制約に依存する。当業者は、説明した機能を特定の適用例ごとに様々な方法で実装し得るが、そのような実装の決定は、本開示の範囲からの逸脱を生じるものと解釈すべきではない。
【０１６２】
本出願で使用する「構成要素」、「モジュール」、「システム」などの用語は、ハードウェア、ハードウェアとソフトウェアの組合せ、ソフトウェア、または実行中のソフトウェアなど、コンピュータ関連のエンティティを指すものとする。たとえば、構成要素は、プロセッサ上で実行されるプロセス、プロセッサ、オブジェクト、実行ファイル、実行スレッド、プログラム、および／またはコンピュータであり得るが、これらに限定されない。例として、サーバ上で動作するアプリケーションと、そのサーバの両方を構成要素とすることができる。１つまたは複数の構成要素がプロセスおよび／または実行スレッド内に常駐し得、１つの構成要素を１つのコンピュータ上に配置し、および／または２つ以上のコンピュータ間に分散し得る。
【０１６３】
「例示的」という単語は、本明細書では、例、事例、または例示の働きをすることを意味するために使用する。「例示的」として本明細書で説明するいかなる態様または設計も、必ずしも他の態様または設計よりも好ましいまたは有利なものと解釈すべきではない。
【０１６４】
様々な態様を、いくつかの構成要素やモジュールなどを含み得るシステムに関して提示する。様々なシステムは、追加の構成要素やモジュールなどを含むことも、および／または各図に関連して論じる構成要素やモジュールなどのすべてを含まないこともあることを理解および諒解されたい。これらの手法の組合せも使用され得る。本明細書で開示する様々な態様は、タッチスクリーンディスプレイ技術および／またはマウスおよびキーボードタイプインターフェースを利用するデバイスを含む、電気デバイス上で実行され得る。そのようなデバイスの例には、コンピュータ（デスクトップおよびモバイル）、スマートフォン、携帯情報端末（ＰＤＡ）、およびワイヤードとワイヤレスの両方の他の電子デバイスがある。
【０１６５】
さらに、本明細書で開示する態様に関連して説明した様々な例示的な論理、論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書に記載の機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１６６】
さらに、標準的なプログラミングおよび／またはエンジニアリング技法を使用して、開示する態様を実装するようにコンピュータを制御するためのソフトウェア、ファームウェア、ハードウェア、またはそれらの任意の組合せを生成する方法、装置、または製造品として１つまたは複数のバージョンを実装し得る。本明細書で使用する「製造品」（または代替的に「コンピュータプログラム製品」）という用語は、任意のコンピュータ可読デバイス、キャリア、または媒体からアクセス可能なコンピュータプログラムを包含するものとする。たとえば、コンピュータ可読媒体は、磁気記憶デバイス（たとえば、ハードディスク、フロッピー（登録商標）ディスク、磁気ストリップ．．．）、光ディスク（たとえば、コンパクトディスク（ＣＤ）、デジタル多用途ディスク（ＤＶＤ）．．．）、スマートカード、およびフラッシュメモリデバイス（たとえば、カード、スティック）を含むことができるが、これらに限定されない。さらに、電子メールを送信および受信する際またはインターネットもしくはローカルエリアネットワーク（ＬＡＮ）などのネットワークにアクセスする際に使用される搬送波など、搬送波を使用して、コンピュータ可読電子データを搬送することができることを諒解されたい。もちろん、開示する態様の範囲から逸脱することなく、この構成に対して多数の改変を行い得ることを当業者ならば認識するであろう。
【０１６７】
本明細書で開示する態様に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるようにプロセッサに結合される。代替として、記憶媒体はプロセッサに一体化され得る。プロセッサおよび記憶媒体はＡＳＩＣ中に常駐し得る。ＡＳＩＣはユーザ端末内に常駐し得る。代替として、プロセッサおよび記憶媒体は、ユーザ端末中に個別構成要素として常駐し得る。
【０１６８】
開示した態様の前述の説明は、当業者が本開示を実施または使用できるようにするために提供されるものである。これらの態様への様々な修正は当業者には容易に明らかであり、本明細書で定義した一般原理は、本開示の趣旨または範囲から逸脱することなく他の実施形態に適用され得る。したがって、本開示は、本明細書で示した実施形態に限定されるものではなく、本明細書で開示した原理および新規の特徴に一致する最も広い範囲を与られるべきである。
【０１６９】
上記で説明した例示的なシステムに鑑みて、開示した主題に従って実装され得る方法について、いくつかの流れ図を参照しながら説明した。説明を簡単にするために、方法を一連のブロックとして図示および説明するが、いくつかのブロックは、本明細書で図示および説明するのとは異なる順序で、および／または他のブロックと同時に、行われ得るので、請求する主題はブロックの順序によって限定されないことを理解および諒解されたい。さらに、本明細書に記載の方法を実装するために、図示したすべてのブロックが必要とされるわけではない。さらに、本明細書で開示した方法は、そのような方法をコンピュータに移送および転送することを可能にするために製造品に記憶することが可能であることをさらに諒解されたい。本明細書で使用する製造品という用語は、任意のコンピュータ可読デバイス、キャリア、または媒体からアクセス可能なコンピュータプログラムを包含するものとする。
【０１７０】
全体的または部分的に、参照により本明細書に組み込まれると言われる任意の特許、公報、または他の開示資料は、その組み込まれる資料が本開示で説明した既存の定義、記述、または他の開示資料と競合しない限り、本明細書に組み込まれることを諒解されたい。したがって、必要な限り、本明細書で明示的に説明した開示は、参照により本明細書に組み込まれる任意の競合する資料に取って代わる。参照により本明細書に組み込まれると言われるが、本明細書で説明した既存の定義、記述、または他の開示資料と競合する、いかなる資料またはその部分も、その組み込まれる資料と既存の開示資料との間に競合が生じない限り、組み込まれる。
以下に本件出願当初の特許請求の範囲に記載された発明を付記する。
［１］ワイヤレスワイドエリアネットワークにおけるマルチモードシステム選択のための方法であって、
現在のジオ空間ロケーションカバレージ領域を判断することと、
前記現在のジオ空間ロケーションカバレージ領域に基づいてシステム選択ロケーション優先度リストのサブセットを選択することと、
システム選択ロケーション優先度リストの前記サブセットを関連するシステム優先度情報のセットにマッピングすることによって、基礎をなすシステム選択情報中のエントリをスケールダウンすることと、
前記システム選択優先度リストに従って選択される無線アクセス技術に応じて利用可能なアクセスノードを選択することと、
エアインターフェースを介して前記利用可能なアクセスノードと通信することと
を備える、方法。
［２］前記基礎をなすシステム選択情報中のエントリをスケールダウンすることが、前記関連するシステム優先度情報中に含まれている無線アクセス技術の好適クラスパラメータのサブセットを選択することをさらに備える、［１］に記載の方法。
［３］前記基礎をなすシステム選択情報中のエントリをスケールダウンすることが、前記関連するシステム優先度情報中に含まれている無線アクセス技術のシステムタイプパラメータのサブセットを選択することをさらに備える、［１］に記載の方法。
［４］関連するシステム優先度情報の前記セットが、１つまたは複数のシステムタイプのためのシステム優先度ルールを含む少なくとも１つのマルチモードシステム選択（ＭＭＳＳ）システム優先度リスト（ＭＳＰＬ）と、通信システムを対応するＭＳＰＬに関係づける少なくとも１つのＭＭＳＳロケーション優先度リスト（ＭＬＰＬ）とを備える、［１］に記載の方法。
［５］前記基礎をなすシステム選択情報が、パブリックランドモバイルネットワーク（ＰＬＭＮ）リストと好適ローミングリスト（ＰＲＬ）とを備える、［２］に記載の方法。
［６］前記ＰＬＭＮリストが、等価ホームＰＬＭＮ（ＥＨＰＬＭＮ）リストと事業者ＰＬＭＮ（ＯＰＬＭＮ）リストとを備え、前記ＥＨＰＬＭＮリストおよび前記ＯＰＬＭＮリストがそれぞれ、モバイル国コード（ＭＣＣ）とモバイルネットワークコード（ＭＮＣ）とによって識別されるシステムの記録を備える、［５］に記載の方法。
［７］前記現在のジオ空間ロケーションカバレージ領域を判断することが、モバイル国コード（ＭＣＣ）を判断することをさらに備える、［１］に記載の方法。
［８］前記モバイル国コード（ＭＣＣ）を判断することが、前記ＭＣＣにマッピングされたシステム識別子（ＳＩＤ）を判断することをさらに備える、［７］に記載の方法。
［９］前記現在のジオ空間ロケーションカバレージ領域を判断することが、モバイル国コード（ＭＣＣ）と、システム識別子（ＳＩＤ）と、ネットワーク識別子（ＮＩＤ）と、サブネット識別子とからなるグループから選択された複数のネットワーク情報を検出することをさらに備える、［１］に記載の方法。
［１０］前記現在のジオ空間ロケーションカバレージ領域を判断することが、モバイル国コード（ＭＣＣ）と、モバイルネットワークコード（ＭＮＣ）と、システム識別子（ＳＩＤ）と、ネットワーク識別子（ＮＩＤ）と、サブネット識別子とからなるグループから選択された複数のネットワーク情報を検出することをさらに備える、［１］に記載の方法。
［１１］システム選択ロケーション優先度リストの前記サブセットを関連するシステム優先度情報の前記セットにマッピングすることが、マルチモードシステム選択（ＭＭＳＳ）ロケーション優先度リスト（ＭＬＰＬ）とＭＭＳＳシステム優先度リスト（ＭＳＰＬ）との１対１のマッピングをさらに備える、［１］に記載の方法。
［１２］システム選択ロケーション優先度リストの前記サブセットを関連するシステム優先度情報の前記セットにマッピングすることが、マルチモードシステム選択（ＭＭＳＳ）ロケーション優先度リスト（ＭＬＰＬ）中の複数のエントリとＭＭＳＳシステム優先度リスト（ＭＳＰＬ）との多対１マッピングをさらに備える、［１］に記載の方法。
［１３］前記現在のジオ空間ロケーションカバレージ領域を判断することが、ネットワークからマルチモードシステム選択（ＭＭＳＳ）ロケーション優先度リスト（ＭＬＰＬ）のためのグルーピング識別子を検出することをさらに備える、［１］に記載の方法。
［１４］前記グルーピング識別子を検出することが、１つのＭＬＰＬを識別することをさらに備える、［１３］に記載の方法。
［１５］前記現在のジオ空間ロケーションカバレージ領域を判断することが、システム情報の複数の組合せのうちの１つを検出することをさらに備える、［１］に記載の方法。
［１６］複数のネットワーク情報のうちの１つを検出することが、モバイル国コード（ＭＣＣ）と、モバイルネットワークコード（ＭＮＣ）と、システム識別子（ＳＩＤ）と、ネットワーク識別子（ＮＩＤ）と、サブネット識別子とからなるグループから選択された複数のネットワーク情報を検出することをさらに備える、［１５］に記載の方法。
［１７］周期的ベターサービスリセレクション走査を異なる無線アクセス技術に限定することをさらに備える、［１］に記載の方法。
［１８］ワイヤレスワイドエリアネットワークにおけるマルチモードシステム選択のための少なくとも１つのプロセッサであって、
現在のジオ空間ロケーションカバレージ領域を判断するための第１のモジュールと、
前記現在のジオ空間ロケーションカバレージ領域に基づいてシステム選択ロケーション優先度リストのサブセットを選択するための第２のモジュールと、
システム選択ロケーション優先度リストの前記サブセットを関連するシステム優先度情報のセットにマッピングすることによって、基礎をなすシステム選択情報中のエントリをスケールダウンするための第３のモジュールと、
前記システム選択優先度リストに従って選択される無線アクセス技術に応じて利用可能なアクセスノードを選択するための第４のモジュールと、
エアインターフェースを介して前記利用可能なアクセスノードと通信するための第５のモジュールと
を備える、プロセッサ。
［１９］ワイヤレスワイドエリアネットワークにおけるマルチモードシステム選択のためのコンピュータプログラム製品であって、
コンピュータに、現在のジオ空間ロケーションカバレージ領域を判断させるための第１のコードセットと、
前記コンピュータに、前記現在のジオ空間ロケーションカバレージ領域に基づいてシステム選択ロケーション優先度リストのサブセットを選択させるための第２のコードセットと、
前記コンピュータに、システム選択ロケーション優先度リストの前記サブセットを関連するシステム優先度情報のセットにマッピングすることによって、基礎をなすシステム選択情報中のエントリをスケールダウンさせるための第３のコードセットと、
前記コンピュータに、前記システム選択優先度リストに従って選択される無線アクセス技術に応じて利用可能なアクセスノードを選択させるための第４のコードセットと、
前記コンピュータに、エアインターフェースを介して前記利用可能なアクセスノードと通信させるための第５のコードセットと
を備えるコードセットを記憶する非一時的コンピュータ可読媒体
を備えるコンピュータプログラム製品。
［２０］ワイヤレスワイドエリアネットワークにおけるマルチモードシステム選択のための装置であって、
現在のジオ空間ロケーションカバレージ領域を判断するための手段と、
前記現在のジオ空間ロケーションカバレージ領域に基づいてシステム選択ロケーション優先度リストのサブセットを選択するための手段と、
システム選択ロケーション優先度リストの前記サブセットを関連するシステム優先度情報のセットにマッピングすることによって、基礎をなすシステム選択情報中のエントリをスケールダウンするための手段と、
前記システム選択優先度リストに従って選択される無線アクセス技術に応じて利用可能なアクセスノードを選択するための手段と、
エアインターフェースを介して前記利用可能なアクセスノードと通信するための手段とを備える、装置。
［２１］ワイヤレスワイドエリアネットワークにおけるマルチモードシステム選択のための装置であって、
現在のジオ空間ロケーションカバレージ領域を判断することと、
前記現在のジオ空間ロケーションカバレージ領域に基づいてシステム選択ロケーション優先度リストのサブセットを選択することと、
システム選択ロケーション優先度リストの前記サブセットを関連するシステム優先度情報のセットにマッピングすることによって、基礎をなすシステム選択情報中のエントリをスケールダウンすることと、
前記システム選択優先度リストに従って選択される無線アクセス技術に応じて利用可能なアクセスノードを選択することと
のためのコンピューティングプラットフォームと、
エアインターフェースを介して前記利用可能なアクセスノードと通信するためのトランシーバと
を備える、装置。
［２２］前記コンピューティングプラットフォームが、さらに、前記関連するシステム優先度情報中に含まれている無線アクセス技術の好適クラスパラメータのサブセットを選択することによって、前記基礎をなすシステム選択情報中のエントリをスケールダウンするためのものである、［２１］に記載の装置。
［２３］前記コンピューティングプラットフォームが、さらに、前記関連するシステム優先度情報中に含まれている無線アクセス技術のシステムタイプパラメータのサブセットを選択することによって、前記基礎をなすシステム選択情報中のエントリをスケールダウンするためのものである、［２１］に記載の装置。
［２４］関連するシステム優先度情報の前記セットが、１つまたは複数のシステムタイプのためのシステム優先度ルールを含む少なくとも１つのマルチモードシステム選択（ＭＭＳＳ）システム優先度リスト（ＭＳＰＬ）と、通信システムを対応するＭＳＰＬに関係づける少なくとも１つのＭＭＳＳロケーション優先度リスト（ＭＬＰＬ）とを備える、［２１］に記載の装置。
［２５］前記基礎をなすシステム選択情報が、パブリックランドモバイルネットワーク（ＰＬＭＮ）リストと好適ローミングリスト（ＰＲＬ）とを備える、［２４］に記載の装置。
［２６］前記ＰＬＭＮリストが、等価ホームＰＬＭＮ（ＥＨＰＬＭＮ）リストと事業者ＰＬＭＮ（ＯＰＬＭＮ）リストとを備え、前記ＥＨＰＬＭＮリストおよび前記ＯＰＬＭＮリストがそれぞれ、モバイル国コード（ＭＣＣ）とモバイルネットワークコード（ＭＮＣ）とによって識別されるシステムの記録を備える、［２５］に記載の装置。
［２７］前記コンピューティングプラットフォームが、さらに、モバイル国コード（ＭＣＣ）を判断することによって前記現在のジオ空間ロケーションカバレージ領域を判断するためのものである、［２１］に記載の装置。
［２８］前記コンピューティングプラットフォームが、さらに、前記ＭＣＣにマッピングされたシステム識別子（ＳＩＤ）を判断することによって前記モバイル国コード（ＭＣＣ）を判断するためのものである、［２７］に記載の装置。
［２９］前記コンピューティングプラットフォームが、さらに、モバイル国コード（ＭＣＣ）と、システム識別子（ＳＩＤ）と、ネットワーク識別子（ＮＩＤ）と、サブネット識別子とからなるグループから選択された複数のネットワーク情報を検出することによって、前記現在のジオ空間ロケーションカバレージ領域を判断するためのものである、［２１］に記載の装置。
［３０］前記コンピューティングプラットフォームが、さらに、モバイル国コード（ＭＣＣ）と、モバイルネットワークコード（ＭＮＣ）と、システム識別子（ＳＩＤ）と、ネットワーク識別子（ＮＩＤ）と、サブネット識別子とからなるグループから選択された複数のネットワーク情報を検出することによって、前記現在のジオ空間ロケーションカバレージ領域を判断するためのものである、［２１］に記載の装置。
［３１］前記コンピューティングプラットフォームが、さらに、マルチモードシステム選択（ＭＭＳＳ）ロケーション優先度リスト（ＭＬＰＬ）とＭＭＳＳシステム優先度リスト（ＭＳＰＬ）との１対１のマッピングによって、システム選択ロケーション優先度リストの前記サブセットを関連するシステム優先度情報の前記セットにマッピングするためのものである、［２１］に記載の装置。
［３２］前記コンピューティングプラットフォームが、さらに、マルチモードシステム選択（ＭＭＳＳ）ロケーション優先度リスト（ＭＬＰＬ）中の複数のエントリとＭＭＳＳシステム優先度リスト（ＭＳＰＬ）との多対１マッピングによって、システム選択ロケーション優先度リストの前記サブセットを関連するシステム優先度情報の前記セットにマッピングするためのものである、［２１］に記載の装置。
［３３］前記コンピューティングプラットフォームが、さらに、ネットワークからマルチモードシステム選択（ＭＭＳＳ）ロケーション優先度リスト（ＭＬＰＬ）のためのグルーピング識別子を検出することによって、前記現在のジオ空間ロケーションカバレージ領域を判断するためのものである、［２１］に記載の装置。
［３４］前記コンピューティングプラットフォームが、さらに、１つのＭＬＰＬを識別することによって前記グルーピング識別子を検出するためのものである、［３３］に記載の装置。
［３５］前記コンピューティングプラットフォームが、さらに、システム情報の複数の組合せのうちの１つを検出することによって、前記現在のジオ空間ロケーションカバレージ領域を判断するためのものである、［２１］に記載の装置。
［３６］前記コンピューティングプラットフォームが、さらに、モバイル国コード（ＭＣＣ）と、システム識別子（ＳＩＤ）と、ネットワーク識別子（ＮＩＤ）と、サブネット識別子とからなるグループから選択されたネットワーク情報を検出することによって、複数のネットワーク情報のうちの１つを検出するためのものである、［３５］に記載の装置。
［３７］前記トランシーバを介した前記コンピューティングプラットフォームが、さらに、周期的ベターサービスリセレクション走査を異なる無線アクセス技術に限定するためのものである、［２１］に記載の装置。
【図１】
0005442863.tif 000022
【図２】
0005442863.tif 000023
【図３】
0005442863.tif 000024
【図４】
0005442863.tif 000025
【図５】
0005442863.tif 000026
【図６】
0005442863.tif 000027
【図７】
0005442863.tif 000028
【図８】
0005442863.tif 000029
【図９】
0005442863.tif 000030
【図１０】
0005442863.tif 000031